(57)【特許請求の範囲】
【請求項１】
透明性材料により形成された基板ボックスに制御基板を収容してなる制御装置を備えた遊技機において、
前記制御基板の部品搭載面には、当該制御基板の製造地を表示する製造地表示部と、当該制御基板の用途が遊技機である旨を表示する第１用途表示部と、前記第１用途表示部の表示とは異なる言語によって当該制御基板の用途が遊技機である旨を表示する第２用途表示部と、が並設されており、
前記制御基板の回路パターンは非導電性のベース板の板面に積層された金属層をエッチングすることにより形成されており、
前記各表示部は、前記金属層をエッチングすることにより矩形状に前記金属層が除去された除去領域と、当該除去領域内において前記金属層をエッチングすることにより残された部分によって形成された文字パターンと、を備えており、
前記制御基板の回路パターンを保護するソルダレジストを備えており、前記各表示部を含む部品搭載面のほぼ全域が前記文字パターンを視認可能な状態で前記ソルダレジストにより被覆されており、前記ソルダレジストの膜厚は文字パターンの前記部品搭載面からの突出量よりも薄く形成されており、
前記制御装置を、その設置状態で前記部品搭載面が前記基板ボックスを通して目視可能なように設置し、
前記制御装置は、前記部品搭載面に搭載したコネクタ部材を前記基板ボックスに設けた開口部より露出させて他の機器と接続可能となっており、
前記基板ボックスは、前記部品搭載面に搭載された各種電子部品を収容する収容部と、前記部品搭載面における前記コネクタ部材の設けられた領域に当接又は近接するように当該領域に沿って平板状に延び、且つ前記開口部が形成された重なり部と、を備えており、
前記コネクタ部材及び前記各表示部が前記部品搭載面の上縁側に設けられるとともに、前記重なり部が前記収容部の上縁から上方へ延出させて設けられており、前記部品搭載面における前記重なり部と対峙する領域に前記各表示部が設けられており、
前記コネクタ部材は、前記部品搭載面の前記上縁が延びる方向に沿って複数設けられており、これらコネクタ部材は、前記上縁が延びる方向において、前記各表示部が集約して設けられた表示部集約領域の一側方のみに配置されていることを特徴とする遊技機。
【発明の詳細な説明】
【技術分野】
【０００１】
本発明は、遊技機に関するものである。
【背景技術】
【０００２】
遊技機の一種として、パチンコ遊技機やスロットマシン等が知られている。これらの遊技機は、その作動を制御するための制御基板を備えている。ここで、不正な利益を得ることを目的として、制御基板を偽造し、その偽造基板を正規な制御基板と交換するといった不正行為が行われることがある。
【０００３】
かかる不正を回避し、又は不正を発見し易くするために、従来の遊技機においては、上記制御基板を内部視認可能な基板ボックスに収容し、その基板ボックスを封印部材によって封印するようにしている（例えば、特許文献１参照）。これにより、偽造基板への交換等の目的で基板ボックスを開放しようとしても封印部材を破損させない限りは基板ボックスを開放させることができず、また、万一基板ボックスが開放されたとしても封印部材の破損状況を確認することで容易にその事実を把握することができる。また、基板ボックスは内部視認可能となるように構成されていることから、封印を解くことなく制御基板を目視によって確認することができる。
【先行技術文献】
【特許文献】
【０００４】
【特許文献１】特開２００２−２２４３８３号公報
【発明の概要】
【発明が解決しようとする課題】
【０００５】
しかしながら、上記不正対策が施されていても基板ボックスの開放を巧妙に行うことにより、偽造基板への交換は未だ行われている。また、制御基板だけでなく基板ボックスをも偽造し、それをセットで交換するといった行為も想定される。
【０００６】
ここで、上記偽造基板を日本国内ではなく日本国外で製造し、それを日本国内に輸入し上記不正行為を行うことが想定される。例えば、上記偽造基板を製造コストの安い国で製造し、それを日本国内に輸入して上記不正行為が行われると、製造コストが安いことに起因して多量の偽造基板が製造され、上記不正行為が大規模に行われてしまうおそれがある。そうすると、その被害は甚大なものとなってしまう。
【０００７】
本発明は、上記事情に鑑みてなされたものであり、日本国外で製造した偽造基板を用いた制御基板の不正交換を抑制することが可能な遊技機を提供することを目的とするものである。
【課題を解決するための手段】
【０００８】
本発明は、透明性材料により形成された基板ボックスに制御基板を収容してなる制御装置を備えた遊技機において、
前記制御基板の部品搭載面には、当該制御基板の製造地を表示する製造地表示部と、当該制御基板の用途が遊技機である旨を表示する第１用途表示部と、前記第１用途表示部の表示とは異なる言語によって当該制御基板の用途が遊技機である旨を表示する第２用途表示部と、が並設されており、
前記制御基板の回路パターンは非導電性のベース板の板面に積層された金属層をエッチングすることにより形成されており、
前記各表示部は、前記金属層をエッチングすることにより矩形状に前記金属層が除去された除去領域と、当該除去領域内において前記金属層をエッチングすることにより残された部分によって形成された文字パターンと、を備えており、
前記制御基板の回路パターンを保護するソルダレジストを備えており、前記各表示部を含む部品搭載面のほぼ全域が前記文字パターンを視認可能な状態で前記ソルダレジストにより被覆されており、前記ソルダレジストの膜厚は文字パターンの前記部品搭載面からの突出量よりも薄く形成されており、
前記制御装置を、その設置状態で前記部品搭載面が前記基板ボックスを通して目視可能なように設置し、
前記制御装置は、前記部品搭載面に搭載したコネクタ部材を前記基板ボックスに設けた開口部より露出させて他の機器と接続可能となっており、
前記基板ボックスは、前記部品搭載面に搭載された各種電子部品を収容する収容部と、前記部品搭載面における前記コネクタ部材の設けられた領域に当接又は近接するように当該領域に沿って平板状に延び、且つ前記開口部が形成された重なり部と、を備えており、
前記コネクタ部材及び前記各表示部が前記部品搭載面の上縁側に設けられるとともに、前記重なり部が前記収容部の上縁から上方へ延出させて設けられており、前記部品搭載面における前記重なり部と対峙する領域に前記各表示部が設けられており、
前記コネクタ部材は、前記部品搭載面の前記上縁が延びる方向に沿って複数設けられており、これらコネクタ部材は、前記上縁が延びる方向において、前記各表示部が集約して設けられた表示部集約領域の一側方のみに配置されていることを特徴とする。
【発明の効果】
【０００９】
本発明によれば、日本国外で製造した偽造基板を用いた制御基板の不正交換を抑制することが可能となる。
【図面の簡単な説明】
【００１０】
【図１】第１の実施の形態におけるパチンコ機を示す正面図である。
【図２】パチンコ機の主要な構成を展開又は分解して示す斜視図である。
【図３】パチンコ機を構成する本体枠の前面構成を示す正面図である。
【図４】遊技盤の構成を示す正面図である。
【図５】前扉枠の構成を示す背面図である。
【図６】パチンコ機の構成を示す背面図である。
【図７】パチンコ機の背面構成を主要部品毎に分解して示す分解斜視図である。
【図８】パチンコ機裏面における第１制御基板ユニット、第２制御基板ユニット及び裏パックユニットの配置を示す模式図である。
【図９】本体枠及び遊技盤の構成を示す背面図である。
【図１０】第１制御基板ユニットの構成を示す正面図である。
【図１１】第１制御基板ユニットの構成を示す斜視図である。
【図１２】第１制御基板ユニットの分解斜視図である。
【図１３】第１制御基板ユニットの背面構成を示す分解斜視図である。
【図１４】主制御装置の分解斜視図である。
【図１５】主制御基板の部品搭載面の一部を拡大して示す正面図である。
【図１６】図１５におけるＡ―Ａ線断面図である。
【図１７】主制御基板の回路パターン等の形成工程を説明するための説明図である。
【図１８】第２制御基板ユニットの構成を示す正面図である。
【図１９】第２制御基板ユニットの構成を示す斜視図である。
【図２０】第２制御基板ユニットの分解斜視図である。
【図２１】裏パックユニットの構成を示す正面図である。
【図２２】パチンコ機の電気的構成を示すブロック図である。
【図２３】第２の実施の形態における主制御装置の構成を示す正面図である。
【図２４】主制御装置の構成を示す分解斜視図である。
【図２５】（ａ）は図２３のＡ―Ａ線断面図、（ｂ）は図２３のＢ−Ｂ線断面図である。
【発明を実施するための形態】
【００１１】
はじめに、本実施の形態から抽出され得る発明を、必要に応じて効果等を示しつつ説明する。
【００１２】
手段１．制御基板（主制御基板２７１，５５１）により作動が制御される遊技機において、
前記制御基板には、当該制御基板の製造地を表示するとともにその表示内容の変更が抑制される製造地表示部（製造地表示部２７９，５５７）を設けたことを特徴とする遊技機。
【００１３】
手段１によれば、制御基板に製造地表示部が設けられている。このように正規の制御基板に製造地表示部が設けられた構成においては、不正行為者にとってはその不正交換を容易に見破られないようにするために偽造基板においても製造地表示部を形成する必要が生じる。かかる事情において、日本国外で製造した偽造基板の製造地表示部に日本国内である旨の製造地が表示されていると、少なくともその偽造基板の日本国内への輸入に際して、税関等にて製造地表示の誤認表示に該当するということで輸入停止措置の対象となる。また、偽造基板の製造時においては製造地表示部の表示内容を当該偽造基板の実際の製造地としておき、日本国内への輸入後に当該表示内容を製造地が日本国内である旨に変更する行為が想定される。これに対して、製造地表示部はその表示内容の変更が抑制されるように形成されているため、当該行為を抑制することができる。以上より、日本国外で製造した偽造基板を用いた制御基板の不正交換を抑制することができる。
【００１４】
手段２．手段１において、前記製造地表示部は、前記制御基板における非導電性を有するベース板（絶縁板ＩＢ）に積層され前記製造地を表す文字パターン（文字パターン２７９ａ）を備えたことを特徴とする遊技機。
【００１５】
手段２によれば、製造地表示部の表示内容を変更するためには、ベース板に積層されている文字パターンを一旦除去した後に、所望の内容の文字パターンをベース板に再形成する必要がある。よって、表示内容の変更作業が手間となり、当該行為を抑制することができる。
【００１６】
手段３．手段２において、前記制御基板の回路パターンは、前記ベース板の板面に積層された金属層（銅箔ＣＦ）をエッチングすることにより形成されており、
前記文字パターンを、前記金属層をエッチングすることにより形成したことを特徴とする遊技機。
【００１７】
手段３によれば、文字パターンの表示内容を変更するためには、文字パターンの除去、ベース板への金属層の再積層、及び再積層した金属層のエッチング等を要する。よって、表示内容の変更作業が手間となり当該行為を抑制することができる。
【００１８】
また、本構成によれば、制御基板の製造時において回路パターンを形成するのに合わせて文字パターンを形成することが可能となる。これにより、正規の制御基板に製造地表示部を設ける構成としたとしても、従来の制御基板と比して製造工程が大きく増加することはなく、また制御基板の製造コストが大きく増大することもない。そして、これに伴って遊技機の製造コストが大きく増大することもない。よって、遊技機の製造コストの増大化を抑制しつつ、日本国外で製造した偽造基板を用いた制御基板の不正交換を抑制することができる。
【００１９】
手段４．手段１乃至３のいずれかにおいて、前記製造地表示部は、前記製造地の表示をその内容が視認可能な状態で被覆する被覆部（ソルダレジストＳＲ）を備えていることを特徴とする遊技機。
【００２０】
手段４によれば、製造地の表示を被覆する被覆部が設けられていることにより、その表示内容を変更するためには被覆部を除去する必要が生じる。よって、表示内容の変更作業が手間となり、当該行為を抑制することができる。また、被覆部は製造地の表示をその内容が視認可能な状態で被覆するため、製造地の表示の視認性は確保される。
【００２１】
手段５．手段４において、前記被覆部は、前記制御基板の回路パターンを保護するソルダレジスト（ソルダレジストＳＲ）であることを特徴とする遊技機。
【００２２】
手段５によれば、制御基板の回路パターンを保護するソルダレジストが被覆部として兼用されるため、構成の簡素化を図りつつ上記手段４の効果を奏することができる。
【００２３】
手段６．手段１乃至５のいずれかにおいて、前記製造地表示部を、前記制御基板の部品搭載面（部品搭載面２７１ａ，５５１ａ）に設けたことを特徴とする遊技機。
【００２４】
手段６によれば、遊技ホールなどにおける制御基板の点検作業において部品搭載面に搭載された電子部品の点検に合わせて、製造地表示部の確認を行うことで、偽造基板への不正交換が行われたか否かを確認することができる。
【００２５】
ちなみに、上記手段５と本手段６とを備えた構成においては、ソルダレジストを除去するためには、部品搭載面に搭載された電子部品を取り外す必要が生じ、これは相当な手間となる。よって、製造地表示部の表示内容を変更しようとする行為を抑制することができる。
【００２６】
手段７．手段１乃至６のいずれかにおいて、前記制御基板には、当該制御基板の用途が遊技機である旨を表示する用途表示部（用途表示部２７７，２７８，５５５，５５６）を設けたことを特徴とする遊技機。
【００２７】
手段７によれば、用途表示部が設けられており制御基板の用途が各種不正行為の対象となるものとして広く知られた遊技機である旨が表示されている。かかる状態において、製造地表示の誤認表示がなされている場合、輸入停止措置がなされる可能性が高くなる。
【００２８】
手段８．手段７において、前記用途表示部を前記製造地表示部に対して並設したことを特徴とする遊技機。
【００２９】
手段８によれば、製造地表示部に表示された製造地と用途表示部に表示された用途とをまとめて視認することができる。よって、上記手段７の効果をより顕著なものとすることが可能となる。
【００３０】
手段９．手段１乃至８のいずれかにおいて、前記制御基板を透明性材料により形成された基板ボックス（基板ボックス２７３）に収容してなる制御装置（主制御装置２７０）を備え、
当該制御装置を、その設置状態で前記制御基板の特定板面（部品搭載面２７１ａ，５５１ａ）が基板ボックスを通して目視可能なように設置し、
前記製造地表示部を前記特定板面に設けたことを特徴とする遊技機。
【００３１】
手段９によれば、制御装置を設置箇所から取り外すことなく製造地表示部に表示された製造地を確認することができる。これにより、例えば、製造地表示部に正規ではない製造地が表示された偽造基板の不正交換が行われていたとしても、それを容易に発見することが可能となる。
【００３２】
手段１０．手段１乃至９のいずれかにおいて、前記制御基板を透明性材料により形成された基板ボックス（基板ボックス２７３）に収容してなる制御装置（主制御装置２７０）を備え、
前記基板ボックスにおける前記制御基板の板面に沿って平板状に延び前記製造地表示部と対峙する対峙部（上縁側重なり部５６２ａ）を、当該製造地表示部に当接又は近接させたことを特徴とする遊技機。
【００３３】
手段１０によれば、基板ボックスが透明性材料により形成されているため、基板ボックスから制御基板を取り出すことなく製造地表示部の表示内容が確認可能となっている。この場合に、基板ボックスにおける制御基板の板面に沿って平板状に延び製造地表示部と対峙する対峙部は、当該製造地表示部に当接又は近接している。これにより、製造地表示部の表示内容を基板ボックスを通して確認する場合において、当該表示内容を極力近い位置で確認することができる。よって、例えば国外で製造された偽造基板が同じく偽造された基板ボックスに収容されて日本国内に輸入された場合に、税関等において製造地表示部の視認性が低下してしまい製造地表示の誤認表示が見落とされてしまうといった不都合の発生を抑制することができる。
【００３４】
手段１１．手段１乃至９のいずれかにおいて、前記制御基板を透明性材料により形成された基板ボックス（基板ボックス２７３）に収容してなる制御装置（主制御装置２７０）を備え、
前記製造地表示部を前記制御基板の部品搭載面（部品搭載面５５１ａ）に設け、
さらに、前記基板ボックスは、前記部品搭載面に搭載された各種電子部品を収容する収容部（収容部５６１）と、当該収容部よりも前記部品搭載面に近い位置にて当該部品搭載面に沿って平板状に延び、前記製造地表示部と対峙する対峙部（上縁側重なり部５６２ａ）とを備えていることを特徴とする遊技機。
【００３５】
手段１１によれば、基板ボックスが透明性材料により形成されているため、基板ボックスから制御基板を取り出すことなく製造地表示部の表示内容が視認可能となっている。また、部品搭載面に製造地表示部が設けられていることにより、遊技ホールなどにおける制御基板の点検作業において部品搭載面に搭載された電子部品の点検に合わせて、製造地表示部の確認を行うことで、偽造基板への不正交換が行われたか否かを確認することができる。
【００３６】
かかる構成において、基板ボックスにおける製造地表示部と対峙する対峙部を収容部よりも部品搭載面に近い位置にて当該部品搭載面に沿って平板状に延びるよう形成した。これにより、製造地表示部の表示内容を基板ボックスを通して確認する場合において、当該表示内容を近い位置で確認することができる。よって、例えば国外で製造された偽造基板が同じく偽造された基板ボックスに収容されて日本国内に輸入された場合に、税関等において製造地表示部の視認性が低下してしまい製造地表示の誤認表示が見落とされてしまうといった不都合の発生を抑制することができる。
【００３７】
手段１２．手段１１において、前記製造地表示部を前記部品搭載面の周縁側に設けるとともに、前記対峙部を前記収容部の周縁から延出させて設けたことを特徴とする遊技機。
【００３８】
手段１２によれば、対峙部が収容部の周縁から延出させて設けられているため、その周縁側から製造地表示部を視認することで、かかる視認性が収容部によって阻害されることはない。よって、製造地表示部の表示内容の視認性を向上させることができる。
【００３９】
また、対峙部が収容部の周縁から延出させて設けられているため、部品搭載面における電子部品の搭載位置に制約を生じさせることなく上記手段１１等の効果を奏することができる。つまり、収容部に囲まれるようにして対峙部を設ける構成においては、その対峙部を形成した位置に背の高い電子部品などを搭載することができなくなるからである。
【００４０】
手段１３．手段１１又は１２において、前記制御装置は、前記部品搭載面に搭載したコネクタ部材（受けコネクタ５６５）を前記基板ボックスに設けた開口部（開口部５６４）より露出させて他の機器と接続可能となっており、
前記基板ボックスは、前記部品搭載面における前記コネクタ部材の設けられた領域に当接又は近接するように当該領域に沿って平板状に延び、且つ前記開口部が形成された重なり部（上縁側重なり部５６２ａ）を有しており、
当該重なり部が前記対峙部であり、前記部品搭載面における前記重なり部と対峙する領域（上縁側当接領域Ｓ）に前記製造地表示部を設けたことを特徴とする遊技機。
【００４１】
手段１３によれば、基板ボックスにおいて制御基板の部品搭載面に当接又は近接するように形成された重なり部に、コネクタ部材を露出させるための開口部が設けられているため、コネクタ部材を露出させるための開口部を通じてリード線などの不正用治具を基板ボックス内に挿入しようとしても当該行為が重なり部と制御基板とによって阻止される。
【００４２】
かかる構成において、部品搭載面における重なり部と対峙する領域に製造地表示部を設けた。そして、当該領域に製造地表示部を設けることで、当該製造地表示部の表示内容の視認性の向上が図られる。つまり、開口部を通じた不正行為を抑制する構成を、製造地表示部の視認性を向上させる構成として兼用することができる。
【００４３】
手段１４．手段１乃至１３のいずれかにおいて、前記制御基板は、遊技に基づく特典の付与を制御する特典付与制御基板であることを特徴とする遊技機。
【００４４】
特典の付与を制御する特典付与制御基板は偽造基板への不正交換の対象となり易いが、当該特典付与制御基板に対して上記手段１等の構成を適用することにより、日本国外で製造した偽造基板を用いた特典付与制御基板の不正交換を抑制することができる。
【００４５】
手段１５．手段１４において、前記特典付与制御基板は、判定契機条件が成立した場合に遊技者に特典を付与するか否かの当否判定を行う当否判定機能を有する主制御基板であることを特徴とする遊技機。
【００４６】
当否判定機能を有する主制御基板は偽造基板への不正交換の対象となり易いが、当該主制御基板に対して上記手段１等の構成を適用することにより、日本国外で製造した偽造基板を用いた主制御基板の不正交換を抑制することができる。
【００４７】
手段１６．手段１４において、遊技媒体を払い出す払出手段（払出装置３５８）を備えており、
前記特典付与制御基板は前記払出手段を制御する払出制御基板であることを特徴とする遊技機。
【００４８】
払出手段を制御する払出制御基板は偽造基板への不正交換の対象となり易いが、当該払出制御基板に対して上記手段１等の構成を適用することにより、日本国外で製造した偽造基板を用いた払出制御基板の不正交換を抑制することができる。
【００４９】
以下に、以上の各手段を適用し得る各種遊技機の基本構成を示す。
【００５０】
パチンコ遊技機：遊技者が操作する操作手段（遊技球発射ハンドル１８）と、その操作手段の操作に基づいて遊技球を発射する遊技球発射手段（発射レール６１等を備えた遊技球発射装置）と、その発射された遊技球を所定の遊技領域に導く球通路（レールユニット５０）と、遊技領域内に配置された各遊技部品とを備え、それら各遊技部品のうち所定の入球部（各種スイッチ２２１，２２３，２２４）に遊技球が入球した場合に遊技者に特典を付与する遊技機。
【００５１】
スロットマシン等の回胴式遊技機：複数の絵柄を可変表示させる絵柄表示装置を備え、始動操作手段の操作に基づいて前記複数の絵柄の可変表示が開始され、停止操作手段の操作に基づいて前記複数の絵柄の可変表示が停止され、その停止後の絵柄に応じて遊技者に特典を付与する遊技機。
【００５２】
（第１の実施の形態）
以下、遊技機の一種であるパチンコ遊技機（以下、「パチンコ機」という）の第１の実施の形態を、図面に基づいて詳細に説明する。図１はパチンコ機１０の正面図、図２はパチンコ機１０の主要な構成を展開又は分解して示す斜視図、図３はパチンコ機１０を構成する本体枠１２の前面構成を示す正面図である。なお、図２、図３では便宜上、パチンコ機１０の遊技領域内の構成を空白としている。
【００５３】
図１〜図３に示すように、パチンコ機１０は、当該パチンコ機１０の外殻を形成する外枠１１を備えている。外枠１１は、遊技ホールへの設置の際に、いわゆる島設備に取り付けられる。外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。
【００５４】
本体枠１２の前面側の下部位置には、前面板１４が設けられている。前面板１４は横長状に形成され、その横幅は本体枠１２の横幅とほぼ一致するように構成されている。前面板１４は、幅方向ほぼ中央部において手前側へ膨出した膨出部１５ａを有するベース部１５と、ベース部１５の膨出部１５ａ内側に設けられ下方にくぼんだ皿形状をなす球受皿としての下皿１６と、下皿１６の奥側の壁面を構成する奥壁パネル１７とを備えている。ベース部１５には膨出部１５ａよりも右方に、手前側へ突出するようにして遊技球発射ハンドル１８が設けられている。奥壁パネル１７には球排出口１７ａが設けられており、球排出口１７ａより排出された遊技球が下皿１６内に貯留されるようになっている。
【００５５】
奥壁パネル１７の球排出口１７ａとは異なる位置には、多数の小孔が集合したスピーカカバー部１７ｂが形成されており、当該パネル１７の後方に設置されたスピーカ２０の出力音がスピーカカバー部１７ｂを通じて前方に発せられるようになっている。
【００５６】
本体枠１２の前面側の前面板１４を除く範囲には、本体枠１２を覆うようにして前面扉としての前扉枠１３が設けられている。従って、前面板１４と前扉枠１３とにより本体枠１２の前面側全体が覆われている。前扉枠１３は、本体枠１２に対して開閉可能に取り付けられており、本体枠１２と同様、パチンコ機１０の正面からみて左側に上下に延びる開閉軸線を軸心にして前方側に開放できるようになっている。
【００５７】
前扉枠１３の下部位置には、下皿１６の上方において手前側へ膨出した膨出部２２が設けられ、その膨出部２２内側には上方に開口した上皿２３が設けられている。上皿２３は、後述する払出装置より払い出された遊技球を一旦貯留し、一列に整列させながら遊技球発射装置側へ導くための球受皿である。
【００５８】
図３に示すように、本体枠１２は、外形が前記外枠１１とほぼ同一形状をなす樹脂ベース２５を主体に構成されており、樹脂ベース２５の中央部には略円形状の窓孔２６が形成されている。樹脂ベース２５の後側には遊技盤３０が着脱可能に装着されている。図４に示すように、遊技盤３０は略四角形状の合板よりなり、その周縁部が樹脂ベース２５の裏側に当接した状態で取着されている。すなわち、遊技盤３０はパチンコ機１０後方より取り付けられ、遊技盤３０の前面部の略中央部分だけが樹脂ベース２５の窓孔２６を通じて本体枠１２の前面側に露出した状態となっている。
【００５９】
次に、遊技盤３０の構成を図４に基づいて説明する。遊技盤３０には、ルータ加工が施されることによって前後方向に貫通する大小複数の開口部が形成されている。各開口部には一般入賞口３１、可変入賞装置３２、作動口３３、スルーゲート３４及び可変表示ユニット３５等がそれぞれ設けられている。
【００６０】
作動口３３には、所定の条件下で作動状態（開放状態）となる電動役物が付随的に設けられている。前記一般入賞口３１、可変入賞装置３２及び作動口３３に遊技球が入ると、それが後述する検出スイッチにより検出され、その検出結果に基づいて上皿２３（場合によっては下皿１６）に対し所定数の賞品球が払い出される。その他に、遊技盤３０の最下部にはアウト口３６が設けられており、各種入賞口等に入らなかった遊技球はアウト口３６を通って図示しない球排出路の方へと案内されるようになっている。また、遊技盤３０には、遊技球の落下方向を適宜分散、調整等するために多数の釘が植設されていると共に、風車３７等の各種部材（役物）が配設されている。
【００６１】
可変表示ユニット３５には、作動口３３への入賞をトリガとして第１図柄（特別図柄）を変動表示する図柄表示装置４１が設けられている。可変表示ユニット３５には、図柄表示装置４１を囲むようにしてセンターフレーム４３が配設されている。このセンターフレーム４３は、その上部がパチンコ機１０前方に延出している。これにより、図柄表示装置４１の表示画面の前方を遊技球が落下していくのが防止されており、遊技球の落下により表示画面の視認性が低下するといった不都合が生じない構成となっている。センターフレーム４３の上部中央には、第１特定ランプ部４７及び第２特定ランプ部４８が横並びの状態で設けられている。また、これら両特定ランプ部４７，４８が配設された領域を挟むように、第１特定ランプ部４７及び図柄表示装置４１に対応した保留ランプ４４が設けられている。遊技球が作動口３３を通過した回数は最大４回まで保留され、保留ランプ４４の点灯によってその保留個数が表示されるようになっている。センターフレーム４３の下部には、第２特定ランプ部４８に対応した保留ランプ４６が設けられている。遊技球がスルーゲート３４を通過した回数は最大４回まで保留され、保留ランプ４６の点灯によってその保留個数が表示されるようになっている。なお、保留ランプ４６は、前記保留ランプ４４と同様に、図柄表示装置４１の一部で変動表示される構成等であっても良い。
【００６２】
図柄表示装置４１は８インチサイズの液晶ディスプレイを備えた液晶表示装置として構成されており、後述する表示制御装置により表示内容が制御される。図柄表示装置４１には、例えば左、中及び右に並べて第１図柄が表示され、これらの図柄が上下方向にスクロールされるようにして変動表示されるようになっている。そして、予め設定されている有効ライン上に所定の図柄の組合せが停止表示された場合には、大当たり発生となると共にそれ以降の遊技状態が特別遊技状態としての大当たり状態に移行することとなる。
【００６３】
第１特定ランプ部４７には、その内側に赤、緑、青の３色発光タイプのＬＥＤランプが配設されている。そして、作動口３３への入賞をトリガとして、所定の順序で発光色の切り替えが行われる。そして、最終的に緑色又は青色が停止表示された場合には、大当たり発生となると共にそれ以降の遊技状態が大当たり状態に移行する。
【００６４】
一方、第２特定ランプ部４８には、その内側に赤、緑の２色発光タイプのＬＥＤランプが配設されている。この第２特定ランプ部４８は、スルーゲート３４の通過をトリガとして、所定の順序で発光色の切り替えが行われる。そして、最終的に赤色が停止表示された場合には、作動口３３に付随する電動役物が所定時間だけ開放状態となるよう構成されている。
【００６５】
可変入賞装置３２は、通常は遊技球が入賞できない又は入賞し難い閉状態になっており、大当たり状態に移行すると遊技球が入賞しやすい所定の開放状態に切り換えられるようになっている。
【００６６】
遊技盤３０には、遊技球発射装置から発射された遊技球を遊技盤３０上部へ案内するためのレール部材としてのレールユニット５０が取り付けられており、遊技球発射ハンドル１８の回動操作に伴い発射された遊技球はレールユニット５０を通じて所定の遊技領域に案内されるようになっている。
【００６７】
レールユニット５０において、前記球案内通路より遊技球が飛び出す部位（図４の左上部）には戻り球防止部材５４が取着され、該飛び出した遊技球の最大飛翔部分に対応する部位（図４の右上部）には返しゴム５５が取着されている。戻り球防止部材５４により、一旦球案内通路から遊技盤３０の上部へと飛び出した遊技球が球案内通路内に戻ってしまうといった事態が防止される。また、所定以上の勢いで発射された遊技球は返しゴム５５に当たり、遊技領域の中央寄りに跳ね返されるようになっている。
【００６８】
レールユニット５０によって形成される球案内通路の入口には、同球案内通路の一部を閉鎖するようにして凸部５７が形成されている。凸部５７は、遊技領域まで至らず球案内通路内を逆流してくるファール球をファール球通路７６（図３参照）に導く機能を有する。
【００６９】
遊技盤３０においてレールユニット５０よりも外方の左上部には、前後に貫通した中継端子孔５９が設けられており、この中継端子孔５９を通じて、遊技盤裏面に設置した中継端子板の接続コネクタ６０がパチンコ機１０前面側に露出されるようになっている。
【００７０】
図３の説明に戻り、前記樹脂ベース２５において、窓孔２６（遊技盤３０）の下方には、遊技球発射装置より発射された直後に遊技球を案内するための発射レール６１が取り付けられている。発射レール６１は、その後方の金属板６２を介して樹脂ベース２５に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後球案内通路を通じて遊技領域に案内される。
【００７１】
発射レール６１と球案内通路との間には所定間隔の隙間があり、この隙間より下方にファール球通路７６が設けられている。従って、仮に遊技球発射装置から発射された遊技球が戻り球防止部材５４まで至らずファール球として球案内通路内を逆戻りする場合には、そのファール球がファール球通路７６を介して下皿１６に排出される。
【００７２】
また、本体枠１２の前面において発射レール６１の左側には、左右一対の排出口６６，６７が形成されると共に、その前方に、排出口６６，６７より排出された遊技球を上皿２３又は下皿１６の何れかに案内するための遊技球案内ユニット７０が取り付けられている。便宜上以下の説明では、排出口６６を第１排出口、排出口６７を第２排出口ともいう。これら排出口６６，６７は、本体枠１２の背面に設けられた遊技球分配部２４５（図１０参照）に通じており、基本的に第１排出口６６より遊技球の排出が行われ、この第１排出口６６も含め上皿２３に通じる通路が遊技球で一杯になると、第１排出口６６に代えて第２排出口６７より遊技球の排出が行われるようになっている。
【００７３】
遊技球案内ユニット７０は、ポリカーボネート樹脂等の透明な樹脂材料により内部を視認可能に構成され、本体枠１２に対して前扉枠１３を閉鎖した状態で本体枠１２と前扉枠１３との間に収まるよう厚みが比較的薄くなるように形成されている。遊技球案内ユニット７０には、前述のファール球通路７６が一体的に形成されている。遊技球案内ユニット７０には、前記排出口６６，６７と下皿１６とを連通するための球排出通路７１が形成されている。遊技球案内ユニット７０には、本体枠１２の第１排出口６６の手前側に、上皿２３に連通する連通口７２が形成され、連通口７２を閉鎖するようにして開閉プレート７３が取り付けられている。開閉プレート７３は支軸７４により回動可能に支持され、付勢手段としてのバネ７５により連通口７２を閉鎖する位置に常時付勢されている。
【００７４】
遊技球案内ユニット７０の上記構成によれば、前扉枠１３を開放した状態ではバネ７５の付勢力により開閉プレート７３が図示の如く起き上がり、連通口７２を閉鎖する。この状態では、第１排出口６６より排出される遊技球が球排出通路７１を通じて下皿１６に案内される。従って、連通口７２の上流側に遊技球が貯留されている状態で前扉枠１３を開放した場合、その貯留球は連通口７２よりこぼれ落ちることなく、球排出通路７１を通じて下皿１６に流下する。つまり、前飾り枠が省略され前扉枠１３に対して上皿２３が直接設けられる構成とした本パチンコ機１０にあっても、前扉枠１３の開放に際し連通口７２の上流側にある遊技球がこぼれ落ちてしまうといった不都合が防止できる。これに対し、前扉枠１３を閉鎖した状態では、前扉枠１３の裏面に設けられた球通路樋１３８（図２参照）によりバネ７５の付勢力に抗して開閉プレート７３が押し開けられる。この状態では、第１排出口６６より排出される遊技球が連通口７２を介して上皿２３に案内される。従って、連通口７２より上流側の遊技球は上皿２３に払い出される。なお、遊技球案内ユニット７０の球排出通路７１下流側には、下皿１６に排出された遊技球が一杯（満タン）になったことを検知する下皿満タンスイッチが取り付けられている。
【００７５】
樹脂ベース２５には、窓孔２６の左上部にも小窓７９が設けられている。この小窓７９は、図４で説明した遊技盤３０の中継端子孔５９に対応する位置にそれとほぼ同一の形状で設けられ、中継端子孔５９及び小窓７９を通じて、遊技盤裏面に設置した中継端子板の接続コネクタ６０が本体枠１２の前面側に露出される。かかる構成において、前扉枠１３側に設けた各種ランプに対しては、本体枠１２（樹脂ベース２５）の小窓７９より露出した接続コネクタ６０を介して電気的な接続がなされている。
【００７６】
本体枠１２の左端側（開閉軸線側）には、前扉枠１３を開閉可能に支持するための支持機構として、上下一対の支持金具８１，８２が取り付けられている。上側の支持金具８１には手前側に切欠を有する支持孔８３が設けられ、下側の支持金具８２には上方へ突出する突起軸８４が設けられている。なお、支持金具８１，８２に支持される前扉枠１３の具体的構成については後述する。また、本体枠１２の右端側（開閉軸線とは反対側）には、前扉枠１３裏面側の開放端側に設けた上下一対の鉤金具１５５，１５６（図２参照）を挿入するための挿入孔８７，８８がそれぞれ設けられている。本パチンコ機１０では、本体枠１２や前扉枠１３を施錠状態とするための施錠装置が本体枠１２の裏面側に隠れて配置される構成となっている。従って、鉤金具１５５，１５６が挿入孔８７，８８を介して施錠装置に係止されることによって、前扉枠１３が本体枠１２に対して開放不能に施錠される。
【００７７】
本体枠１２の右下隅部には、外枠１１に対する本体枠１２の施錠及び解錠、並びに本体枠１２に対する前扉枠１３の施錠及び解錠を行うための鍵部材としてのシリンダ錠９１が設置されている。シリンダ錠９１は施錠装置に一体化されており、施錠装置のうちシリンダ錠９１だけが本体枠１２の前方に突出した状態で設けられている。この場合、シリンダ錠９１は、遊技領域の最大幅となる位置とは異なる位置に設けられている。シリンダ錠９１は、本体枠１２の施解錠と前扉枠１３の施解錠とを共に賄う機能を有しており、鍵穴に差し込んだキーを左（反時計回り方向）に回すと本体枠１２の施錠が解かれ、逆にキーを右（時計回り方向）に回すと前扉枠１３の施錠が解かれるようになっている。
【００７８】
次に、前扉枠１３について図１，図５を参照しつつ説明する。なお、図５は、前扉枠１３の背面図である。
【００７９】
前扉枠１３には遊技領域のほぼ全域を前方から視認することができるようにした視認窓としての窓部１０１が形成されている。窓部１０１は、円形に近い略楕円形状をなし、より詳しくは、その左右側の略中央部が上下側に比べて緩やかに湾曲した形状となっている。
【００８０】
前扉枠１３にはその周囲（例えばコーナー部分）に各種ランプ等の発光手段が設けられている。これら発光手段は、大当たり状態下や所定のリーチ演出時等において点灯、点滅のように発光態様が変更制御されることにより、遊技中の演出効果を高める役割を果たす。例えば、窓部１０１の周縁に沿ってＬＥＤ等の発光手段を内蔵した環状電飾部１０２が左右対称に設けられ、環状電飾部１０２の中央であってパチンコ機１０の最上部にはＬＥＤ等の発光手段を内蔵した中央電飾部１０３が設けられている。本パチンコ機１０では、中央電飾部１０３が大当たりランプとして機能し、大当たり状態下で点灯や点滅を行うことにより大当たり状態に移行していることを報知する。また、上皿２３周りにも、同じくＬＥＤ等の発光手段を内蔵した上皿電飾部１０４が設けられている。その他、中央電飾部１０３の左右側方には、賞球払出中に点灯する賞球ランプ１０５と所定のエラー時に点灯するエラー表示ランプ１０６とがそれぞれ設けられている。
【００８１】
図５の右側となる開閉軸線側にはその上端部及び下端部に、本体枠１２に対する組付機構として、組付金具１５１，１５２が取り付けられている。そして、本体枠１２側の支持金具８１，８２（図３参照）に対して前扉枠１３側の組付金具１５１，１５２が取り付けられている。すなわち、下側の組付金具１５２には下面に開口する軸穴が形成されており、その軸穴に下側の支持金具８２の突起軸８４が挿入される一方、上側の組付金具１５１の軸部が上側の支持金具８１の支持孔８３に挿入されることにより、本体枠１２に対して前扉枠１３が開閉可能に支持されている。
【００８２】
図５の左側となる開閉軸線とは反対側には鉤形状をなす上下一対の鉤金具１５５，１５６が取り付けられている。これら鉤金具１５５，１５６は、後方に延び、本体枠１２に設けた挿入孔８７，８８（図３参照）に対応するようにして設けられている。本体枠１２に対して前扉枠１３を閉鎖した際、鉤金具１５５，１５６が本体枠１２側の挿入孔８７，８８に挿入されて施錠装置により施錠状態とされるようになっている。
【００８３】
下側の部位には、パチンコ機１０後方に向けて球通路樋１３８が設置されており、球通路樋１３８の少なくとも上方には、同じくパチンコ機１０後方に向けて延びる庇（ひさし）部１３９が設けられている。この場合、本体枠１２側に前扉枠１３を閉じた状態では、球通路樋１３８と庇部１３９との間に、本体枠１２側の連通口７２上辺に沿って延びる突条が入り込むようにして配置される。故に、球通路樋１３８より針金やフィルム等を侵入させて不正行為を行おうとしても、遊技領域にまで針金やフィルム等を侵入させることが非常に困難となる。結果として、針金やフィルム等を利用して行われる不正行為を防止することができる。
【００８４】
前扉枠１３にはガラス保持溝が形成されている。ガラス保持溝は前後に２列形成されており、矩形状をなす前後一対のガラス１３７が各ガラス保持溝にて保持される。これにより、２枚のガラス１３７が前後に所定間隔を隔てて取着されている。
【００８５】
次に、パチンコ機１０の背面の構成を説明する。なお、図６はパチンコ機１０の背面図、図７はパチンコ機１０の背面構成を主要部品毎に分解して示す分解斜視図である。
【００８６】
まず、パチンコ機１０の背面構成について全体の概要を説明する。パチンコ機１０の背面側には、各種制御装置（各種制御基板）が上下左右に並べられるようにして又は前後に重ねられるようにして配置されるとともに、遊技球を供給するための遊技球供給装置（払出機構）や樹脂製の保護カバー等が取り付けられている。本実施の形態では、各種制御装置を２つの取付台に分けて搭載して２つの制御基板ユニットを構成し、それら制御基板ユニットを個別に本体枠１２又は遊技盤３０の裏面に装着するようにしている。この場合、主制御装置２７０（主制御基板２７１）と音声ランプ制御装置２７２（音声ランプ制御基板）とを一方の取付台に搭載してユニット化すると共に、払出制御装置３１１（払出制御基板）、発射制御装置３１２（発射制御基板）及び電源装置３１３（電源基板）を他方の取付台に搭載してユニット化している。以下においては、便宜上、前者のユニットを「第１制御基板ユニット２０１」と称し、後者のユニットを「第２制御基板ユニット２０２」と称することとする。また、払出機構及び保護カバーも１ユニットとして一体化され、一般に樹脂部分を裏パックと称することもあるため、ここではそのユニットを「裏パックユニット２０３」と称する。各ユニット２０１〜２０３の詳細な構成については後述する。
【００８７】
第１制御基板ユニット２０１、第２制御基板ユニット２０２及び裏パックユニット２０３は、ユニット単位で何ら工具等を用いずに着脱できるよう構成されるとともに、一部に支軸部を設けて本体枠１２又は遊技盤３０の裏面に対して展開できる構成となっている。これは、各ユニット２０１〜２０３やその他構成が前後に重ねて配置された場合に隠れた部位を容易に確認することを可能とするための工夫でもある。実際には、図８の概略図に示すように、略Ｌ字状をなす第１制御基板ユニット２０１はパチンコ機１０のほぼ中央に配置され、その下方に第２制御基板ユニット２０２が配置されている。また、第１制御基板ユニット２０１に一部重複する領域に、裏パックユニット２０３が配置されている。
【００８８】
第１制御基板ユニット２０１にはパチンコ機１０の背面から見て左端部に支軸部Ｍ１が設けられ、その支軸部Ｍ１による軸線Ａを中心に第１制御基板ユニット２０１が回動可能となっている。また、第１制御基板ユニット２０１には、その右端部すなわち支軸部Ｍ１の反対側となる開放端側に、ナイラッチ（登録商標）等よりなる締結部Ｍ２が設けられると共に上端部に係止爪部Ｍ３が設けられており、これら締結部Ｍ２及び係止爪部Ｍ３によって第１制御基板ユニット２０１がパチンコ機１０本体の裏面に沿った状態に保持されるようになっている。また、第２制御基板ユニット２０２にはパチンコ機１０の背面から見て右端部に支軸部Ｍ４が設けられ、その支軸部Ｍ４による軸線Ｂを中心に第２制御基板ユニット２０２が回動可能となっている。また、第２制御基板ユニット２０２には、その左端部すなわち支軸部Ｍ４の反対側となる開放端側に、ナイラッチ等よりなる締結部Ｍ５が設けられており、この締結部Ｍ５によって第２制御基板ユニット２０２がパチンコ機１０本体の裏面に沿った状態に保持されるようになっている。さらに、裏パックユニット２０３にはパチンコ機１０の背面から見て右端部に支軸部Ｍ６が設けられ、その支軸部Ｍ６による軸線Ｃを中心に裏パックユニット２０３が回動可能となっている。また、裏パックユニット２０３には、その左端部すなわち支軸部Ｍ６の反対側となる開放端側にナイラッチ等よりなる締結部Ｍ７が設けられるとともに、上端部及び下端部にそれぞれ回動式の係止部Ｍ８，Ｍ９が設けられており、これら締結部Ｍ７及び係止部Ｍ８，Ｍ９によって裏パックユニット２０３がパチンコ機１０本体の裏面に沿った状態に保持されるようになっている。
【００８９】
各ユニット２０１〜２０３を回動可能に支持する支軸部Ｍ１，Ｍ４，Ｍ６は、各ユニット２０１〜２０３をパチンコ機１０の裏面から開いた状態で容易に取り外し可能なヒンジ構造となっている。簡単に説明すると、第１制御基板ユニット２０１については、締結部Ｍ２の締結及び係止爪部Ｍ３の係止を解除すると共に、当該ユニット２０１を軸線Ａを中心に回動させて展開し、その状態で持ち上げる。これにより、裏パックユニット２０３がない前提であれば、第１制御基板ユニット２０１を取り外すことができる。また、第２制御基板ユニット２０２については、締結部Ｍ５の締結を解除すると共に、当該ユニット２０２を軸線Ｂを中心に回動させて展開し、その状態で持ち上げる。これにより、第２制御基板ユニット２０２を取り外すことができる。さらに、裏パックユニット２０３については、締結部Ｍ７の締結及び係止部Ｍ８，Ｍ９の係止を解除すると共に、当該ユニット２０３を軸線Ｃを中心に回動させて展開し、その状態で持ち上げる。これにより、裏パックユニット２０３を取り外すことができる。
【００９０】
ここで、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。この場合、第１制御基板ユニット２０１は、裏パックユニット２０３に一部重複して設けられるため、裏パックユニット２０３を開かないことには第１制御基板ユニット２０１を取り外すことが不可能であり、さらに言うと、第１制御基板ユニット２０１及び裏パックユニット２０３が各々逆方向に展開する構成であるため、裏パックユニット２０３を所定角度以上に大きく開いた状態又は同ユニット２０３を取り外した状態でなければ第１制御基板ユニット２０１を取り外すことが不可能である。
【００９１】
次に、本体枠１２及び遊技盤３０の裏面構成を説明する。なお、図９は本体枠１２に遊技盤３０を組み付けた状態でかつ前記各ユニット２０１〜２０３等を取り外した状態の構成を示す背面図である。
【００９２】
遊技盤３０は、樹脂ベース２５に囲まれた四角枠状の設置領域に裏面側より設置され、本体枠１２に設けられた複数（本実施の形態では４カ所）の係止固定具２１１，２１２によって後方へ脱落しないように固定されている。係止固定具２１１，２１２は手動で回動操作することができ、固定位置（ロック位置）と固定解除位置（アンロック位置）とに切り換えることができるよう構成されている。図９にはロック状態を示す。
【００９３】
遊技盤３０の中央に配置される可変表示ユニット３５には、センターフレーム４３（図４参照）を背後から覆う合成樹脂製のフレームカバー２１３が後方に突出して設けられており、そのフレームカバー２１３の後端に、図柄表示装置４１と表示制御手段としての表示制御装置２１４とが前後に重ねられた状態で着脱可能に取り付けられている。フレームカバー２１３内には、センターフレーム４３に内蔵されたＬＥＤ等を駆動するためのＬＥＤ制御基板などが配設されている。
【００９４】
遊技盤３０の裏面には、可変表示ユニット３５を取り囲むようにして集合板ユニット２１５が設けられている。集合板ユニット２１５は、薄板状の枠体として例えばＡＢＳ樹脂等の合成樹脂により成形されるベースを有し、そのベース面が遊技盤３０の裏面に当接されるようにして取り付けられている。集合板ユニット２１５には、各種入賞口に入賞した遊技球を回収するための遊技球回収機構や、各種入賞口等への遊技球の入賞を検知するための入賞検知機構などが設けられている。
【００９５】
遊技球回収機構について説明すると、集合板ユニット２１５の下方には、前記一般入賞口３１、可変入賞装置３２、作動口３３の遊技盤開口部に対応し且つ下流側で１カ所に集合する回収通路２１６が形成されている。また、遊技盤３０の下方には、本体枠１２にポリカーボネート樹脂等の合成樹脂製の排出通路盤２１７が取り付けられており、排出通路盤２１７には排出球をパチンコ機１０外部の例えば遊技ホールの島設備等へ案内するための排出通路２１８が形成されている。従って、図９に仮想線で例示するように、一般入賞口３１等に入賞した遊技球は何れも集合板ユニット２１５の回収通路２１６を介して集合し、さらに排出通路盤２１７の排出通路２１８を介してパチンコ機１０外部に排出される。なお、アウト口３６も同様に排出通路２１８に通じており、何れの入賞口にも入賞しなかった遊技球も排出通路２１８を介してパチンコ機１０外部に排出される。上記構成では、遊技盤３０の下端面を境界にして、上方に集合板ユニット２１５（回収通路２１６）が、下方に排出通路盤２１７（排出通路２１８）が設けられており、排出通路盤２１７が遊技盤３０に対して前後方向に重複していない。従って、遊技盤３０を本体枠１２から取り外す際において、排出通路盤１７が遊技盤取り外しの妨げになるといった不都合が生じることもない。
【００９６】
入賞検知機構について説明すると、集合板ユニット２１５には、遊技盤３０表側の一般入賞口３１と対応する位置に入賞口スイッチ２２１が設けられ、可変入賞装置３２と対応する位置にカウントスイッチ２２３が設けられている。カウントスイッチ２２３は、可変入賞装置３２に入賞した遊技球の数をカウントするスイッチである。また、作動口３３に対応する位置には作動口３３への遊技球の入賞を検知する作動口スイッチ２２４が設けられ、スルーゲート３４に対応する位置にはスルーゲート３４の遊技球の通過を検知するゲートスイッチ２２５が設けられている。入賞口スイッチ２２１及びゲートスイッチ２２５は電気配線を通じて盤面中継基板２２６に接続され、カウントスイッチ２２３は大入賞口中継基板２２７に接続されている。そして、盤面中継基板２２６及び大入賞口中継基板２２７が主制御装置２７０に接続されている。作動口スイッチ２２４は中継基板を介さずに直接主制御装置２７０に接続されている。その他図示は省略するが、可変入賞装置３２には、大入賞口の開閉扉を開放するための大入賞口ソレノイドと、入賞球を特定領域かその他の領域に振り分けるための振分板を駆動する入賞球振分板ソレノイドとが設けられ、作動口３３には、それに付随する電動役物を開放するための作動口ソレノイドが設けられている。
【００９７】
上記入賞検知機構にて各々検出された検出結果は主制御装置２７０に取り込まれ、該主制御装置２７０よりその都度の入賞状況に応じた払出指令（遊技球の払出個数）が払出制御装置３１１に送信される。そして、払出制御装置３１１の出力により所定数の遊技球の払出が実行されるようになっている。なお、図９に示すように、本体枠１２裏側の左下部には、打球槌等を備えるセットハンドル２２８及び発射モータ２２９が設けられている。
【００９８】
集合板ユニット２１５には、第１制御基板ユニット２０１を取り付けるための取付機構が設けられている。具体的には、この取付機構として、遊技盤３０の裏面から見て左下隅部には上下方向に延びる軸受け金具２３１が設けられ、この軸受け金具２３１には同一軸線上に上下一対の軸受け孔が形成されている。また、遊技盤３０において、軸受け金具２３１の右方には上下一対の被締結孔（具体的にはナイラッチの取付孔）２３２が設けられ、軸受け金具２３１の上方には係止爪片２３３が設けられている。
【００９９】
本体枠１２の裏面には、第２制御基板ユニット２０２や裏パックユニット２０３を取り付けるための取付機構が設けられている。具体的には、本体枠１２にはその右端部に長尺状の軸受け金具２３５が取り付けられている。この軸受け金具２３５は補強部材としても機能する。軸受け金具２３５は遊技盤３０よりも下方へ延びる長尺板状の金具本体２３６を有し、その金具本体２３６より後方へ起立させるようにして、下部２カ所に第２制御基板ユニット２０２用の軸受け部２３７が形成されると共に、上部２カ所に裏パックユニット２０３用の軸受け部２３８が形成されている。これら軸受け部２３７，２３８にはそれぞれ同軸の軸受け孔が形成されている。その他、第２制御基板ユニット２０２用の取付機構として、本体枠１２には、遊技盤３０設置領域よりも下方左端部に上下一対の被締結孔（具体的には、ナイラッチの取付孔）２３９が設けられている。また、裏パックユニット２０３用の取付機構として、本体枠１２には、遊技盤３０設置領域の左端部に上下一対の被締結孔（具体的には、ナイラッチの取付孔）２４０が設けられている。本体枠１２において遊技盤３０の左上方、右寄り上方及び右寄り下方の各位置には、遊技盤３０との間に裏パックユニット２０３を挟み込んで支持するための回動式の固定具２４１，２４２，２４３がそれぞれ設けられている。
【０１００】
上記の如く本体枠１２の左右一側部（図９では右側部）には長尺状の軸受け金具２３５が設けられる一方、本体枠１２の左右他側部（図９では左側部）には施錠装置が設けられている。施錠装置は、上下方向に延び本体枠１２に固定された基枠２４７と、その基枠２４７に対して上下方向に移動可能に組み付けられた長尺状の連動杆２４８とを備え、基枠２４７の下部に前記シリンダ錠９１が一体化されている。連動杆２４８は、シリンダ錠９１の操作により上下いずれかの方向に移動する。連動杆２４８には、鉤形状をなす上下一対の鉤金具２４９が設けられており、外枠１１に対して本体枠１２を閉鎖した際には、鉤金具２４９が外枠１１側の支持金具（図示略）に係止され、施錠装置により施錠状態とされるようになっている。この場合、シリンダ錠９１の操作によって連動杆２４８が上方向に移動すると、外枠１１に対する本体枠１２の施錠が解除される。逆に、シリンダ錠９１の操作によって連動杆２４８が下方向に移動すると、本体枠１２に対する前扉枠１３の施錠が解除される。
【０１０１】
本体枠１２の背面における遊技盤３０の右下部には、後述する払出機構より払い出される遊技球を上皿２３、下皿１６又は排出通路２１８の何れかに振り分けるための遊技球分配部２４５が設けられている。
【０１０２】
次に、第１制御基板ユニット２０１の構成を図１０〜図１３に基づいて説明する。図１０は第１制御基板ユニット２０１の正面図、図１１は第１制御基板ユニット２０１の斜視図、図１２は第１制御基板ユニット２０１の分解斜視図、図１３は第１制御基板ユニット２０１を裏面から見た分解斜視図である。
【０１０３】
第１制御基板ユニット２０１は略Ｌ字状をなす取付台２５１を有し、取付台２５１に主制御装置２７０と音声ランプ制御装置２７２とが搭載されている。主制御装置２７０は、遊技の主たる制御を司る機能を有する主制御基板を具備しており、当該主制御基板が透明樹脂材料等よりなる被包手段としての基板ボックス２７３に収容されて構成されている。主制御装置２７０には複数のコネクタが設けられており、各コネクタにハーネスや信号線が差し込まれることで、他の基板等（払出制御基板、盤面中継基板２２６等）との電気的な接続がなされるようになっている。なお、主制御装置２７０の詳細な構成については後に説明する。
【０１０４】
音声ランプ制御装置２７２は、例えば主制御装置２７０又は表示制御装置２１４からの指示に従い音声やランプ表示の制御を司る音声ランプ制御基板を具備しており、音声ランプ制御基板が透明樹脂材料等よりなる基板ボックス２７４に収容されて構成されている。
【０１０５】
取付台２５１は、ポリカーボネート樹脂等の合成樹脂製であり、例えば緑や青等に着色されて不透明とされている。但し、取付台２５１は無色透明又は半透明であってもよい。取付台２５１の表面には平坦状をなす２つの基板搭載面２５２，２５３が設けられている。これら基板搭載面２５２，２５３は縦横に直交する向きに延び、前後方向に段差をもって形成されている。基板搭載面２５２の上縁部及び下縁部にはそれぞれ、基板搭載面２５２より起立した起立部２５４が一体成形されている。そして、横長の基板搭載面２５２上に主制御装置２７０が配置されると共に、縦長の基板搭載面２５３上に音声ランプ制御装置２７２が配置される。このとき、主制御装置２７０は、上下の側部が起立部２５４にて支えられる。また、音声ランプ制御装置２７２は、複数箇所でネジ等により基板搭載面２５３に固定される。
【０１０６】
ここで、図１３に示すように、基板搭載面２５２には、左右２カ所に横長形状の貫通孔２５６が形成されている。一方、主制御装置２７０の基板ボックス２７３には、その裏面の左右２カ所に回動操作式の固定具２７５が設けられている。主制御装置２７０を基板搭載面２５２に搭載する際には、基板搭載面２５２の貫通孔２５６に固定具２７５が挿通されるように主制御装置２７０を載置し、その状態で固定具２７５を回動操作することで主制御装置２７０がロックされる。したがって、主制御装置２７０は第１制御基板ユニット２０１の裏面側から固定具２７５をロック解除しなければ取り外しできないため、基板取り外し等の不正行為に対して抑止効果が得られる。
【０１０７】
また、取付台２５１において、主制御基板用の基板搭載面２５２の下方には、基板搭載面２５２の裏面空間に通じる開口を遮蔽するための遮蔽部２５７が設けられている。したがって、基板搭載面２５２の下方より取付台２５１の裏面に手などを差し入れることが阻止され、固定具２７５のロック状態を不正に解除することが抑制されている。また、第１制御基板ユニット２０１をパチンコ機１０背面に搭載した状態では、当該ユニット２０１の上部が裏パックユニット２０３により覆われるため、やはり取付台２５１の裏面に手などを差し入れることが阻止され、固定具２７５のロック状態を不正に解除することができないようになっている。
【０１０８】
取付台２５１の左端面には上下一対の掛止ピン２６１が設けられており、この掛止ピン２６１を前記軸受け金具２３１に取り付けることで、第１制御基板ユニット２０１が遊技盤３０に対して回動可能に片持ち支持される。取付台２５１の右端部には前記被締結孔２３２にはめ込まれる締結具として上下一対のナイラッチ２６２が設けられている。取付台２５１の上端部には前記係止爪片２３３が係止される長孔２６３が設けられている。したがって、ナイラッチ２６２を被締結孔２３２にはめ込むと共に、長孔２６３に係止爪片２３３を係止させることで、第１制御基板ユニット２０１が遊技盤３０に固定される。なお、軸受け金具２３１及び掛止ピン２６１が前記支軸部Ｍ１に、被締結孔２３２及びナイラッチ２６２が前記締結部Ｍ２に、係止爪片２３３及び長孔２６３が前記係止爪部Ｍ３に、それぞれ相当する。
【０１０９】
次に、主制御装置２７０の構成を図１４に基づいて説明する。図１４は主制御装置２７０の分解斜視図である。
【０１１０】
主制御装置２７０の基板ボックス２７３は、略直方体形状のボックスベース２８０と当該ボックスベース２８０の開口部を覆うボックスカバー２９０とから構成されており、それらボックスベース２８０とボックスカバー２９０とから構成される内部空間に主制御基板２７１が収容されている。
【０１１１】
主制御基板２７１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生機、時間計数や同期を図る場合などに使用されるクロックパルス発生回路等を備えている。本実施の形態では、ＣＰＵ、ＲＯＭ及びＲＡＭがＣＰＵチップ５０１に１チップ化されている。また、詳細な説明は省略するが、入出力ドライバ用ＩＣチップ５０７及びラッチ用ＩＣチップ５０８が搭載されている。
【０１１２】
主制御基板２７１は、ボックスカバー２９０に対してネジ固定されており、各種チップ５０１，５０７，５０８が搭載された部品搭載面２７１ａはボックスカバー２９０側を向いている。
【０１１３】
ボックスベース２８０及びボックスカバー２９０は、透明性を有するポリカーボネート樹脂により形成されている。なお、これらボックスベース２８０及びボックスカバー２９０を成型する材料は透明性を有する材料であれば、ポリカーボネート樹脂に限定されることはなく、例えば、アクリル樹脂などであってもよい。ここで、図６に示すように、主制御装置２７０はパチンコ機１０の背面部を構成しており、さらに主制御装置２７０はボックスカバー２９０がボックスベース２８０に対して後側となるようにして配置されている。したがって、部品搭載面２７１ａは、パチンコ機１０の後側を向いていると言える。そして、上記のとおりボックスカバー２９０が透明性を有する材料により形成されている。よって、遊技ホール（遊技場）等への設置状態にあるパチンコ機１０において外枠１１に対して本体枠１２を開きパチンコ機１０の背面部を手前側に開放することで、主制御装置２７０を取り外さなくても部品搭載面２７１ａを確認可能となっている。
【０１１４】
ボックスベース２８０には、底板部２８１の長辺側に側板部２８２が形成されており、短辺側の一側には側板部２８２に連なるようにして段差部２８３が形成されている。側板部２８２の先端は内側に折り曲げて形成されている。側板部２８２における段差部２８３が形成された端部とは反対側の端部は、ボックスカバー２９０をスライド装着するための装着口２８４となっている。以上の構成において、主制御装置２７０の組み立てに際しては、主制御基板２７１がネジ止めされたボックスカバー２９０を装着口２８４から挿し込み、当該ボックスカバー２９０の挿し込み方向側が段差部２８３に当たるまでスライド移動させる。
【０１１５】
ボックスカバー２９０には、ボックスベース２８０の段差部２８３と重なるようにして延出部２９１が一体形成されている。延出部２９１はボックスベース２８０の段差部２８３と共に封印手段としての封印ユニット２７４を構成しており、当該封印ユニット２７４によってボックスベース２８０とボックスカバー２９０とが連結され、基板ボックス２７３が封印されている。
【０１１６】
封印ユニット２７４は、ボックスベース２８０とボックスカバー２９０とを連結する構成であれば任意の構成が適用できるが、ここでは図１４に示すように、複数組（具体的には、５組）の封印部材２８５，２９２が形成された構成となっており、１組の封印部材２８５，２９２の長孔に係止爪を挿入することでボックスベース２８０とボックスカバー２９０とが連結されるようになっている。この場合、係止爪を封印部材２８５，２９２から抜くことが不可能な構成となっているため、基板ボックス２７３を開封するために封印部材２８５，２９２を破壊する必要が生じる。よって、基板ボックス２７３が不正に開封されたことの履歴を残すことができ、主制御基板２７１に対して不正が行われたことの発見が可能となっている。
【０１１７】
ボックスベース２８０及びボックスカバー２９０には、封印ユニット２７４が設けられた側部とは反対側の側部に貼付板部２８６，２９３が一体形成されており、これら貼付板部２８６，２９３が締結具（連結具）としての金属製のネジ２９５によって締結されている（連結されている）。また、両貼付板部２８６，２９３を跨ぐようにして封印シール２７６が貼り付けられている。当該封印シール２７６は、貼付状態から剥がす際にその痕跡が残る構成となっている。詳細には、貼付状態から剥がす際には、封印シール２７６の着色された粘着層が貼付対象に残る構成となっている。したがって、ネジ２９５による締結状態を解除すべく封印シール２７６を貼付板部２８６，２９３から剥がすと、その痕跡を残すことができ、主制御基板２７１に対して不正が行われたことの発見が可能となっている。
【０１１８】
上記のとおり封印ユニット２７４及び封印シール２７６が設けられていることにより、主制御基板２７１に対して不正が行われたことの発見が可能となっている。しかしながら、これら封印ユニット２７４及び封印シール２７６が設けられた構成であっても、それらの封印の解除を痕跡が残らないように巧妙に行う、又は主制御装置２７０をまるごと交換すること等により、主制御基板２７１を偽造基板に交換するといった不正行為が行われることが想定される。また、上記偽造基板を日本国内ではなく例えば製造コストの安い国で製造し、それを日本国内に輸入して上記不正行為を行うことが想定される。かかる行為が行われると、製造コストが安いことに起因して多量の偽造基板が製造され、上記不正行為が大規模に行われてしまうおそれがある。そうすると、その被害は甚大なものとなってしまう。これに対して、本パチンコ機１０では、偽造基板を日本国外で製造し、それを日本国内に輸入しようとする行為を抑制可能な構成が設けられている。
【０１１９】
そこで、当該抑制可能な構成について図１５及び図１６に基づいて以下に説明する。図１５は主制御基板２７１の部品搭載面２７１ａの一部を拡大して示す正面図、図１６は図１５におけるＡ―Ａ線断面図である。なお、図１６においては、理解を容易なものとするために、主制御基板２７１等の厚み寸法を実際よりも大きく示す。
【０１２０】
主制御基板２７１の部品搭載面２７１ａは、銅等の金属からなる配線Ｗによって回路パターンが形成されており、その回路パターンがソルダレジストＳＲによって覆われて構成されている。ソルダレジストＳＲは、緑色に着色された合成樹脂により、電子部品の接続箇所を除いて部品搭載面２７１ａの略全面を覆うようにして形成されている。当該ソルダレジストＳＲは、部品搭載面２７１ａに電子部品を半田付けする際にその半田が配線Ｗに付着するのを防止する機能と、配線Ｗの腐食を抑制する機能とを少なくとも有する。
【０１２１】
ここで、ソルダレジストＳＲの膜厚は比較的薄膜（例えば、１０μｍ）に形成されており、回路パターンの凹凸（配線Ｗの厚みは、例えば、４０μｍ）に追従している。これにより、当該凹凸が平坦化されていない。また、主制御基板２７１はエポキシ樹脂などの絶縁板ＩＢに銅等の金属箔が離脱不能に貼付（積層）されて構成されており、部品搭載面２７１ａには凹凸部分に色のコントラストが生じる。したがって、部品搭載面２７１ａにおいて回路パターンの形状が視認可能となっている。
【０１２２】
部品搭載面２７１ａには、上述したＣＰＵチップ５０１やその他、抵抗などといった電子部品が搭載されている。これら電子部品は、そのリード線が主制御基板２７１を貫通するようにして取り付けられており、そのリード線が主制御基板２７１における部品搭載面２７１ａとは反対側の板面２７１ｂに半田付けされている。当該構成から、主制御基板２７１における部品搭載面２７１ａとは反対側の板面２７１ｂを、半田面２７１ｂと称することができる。
【０１２３】
半田面２７１ｂは、部品搭載面２７１ａと同様に、銅等の金属からなる配線Ｗによって回路パターンが形成されており、その回路パターンがソルダレジストＳＲによって覆われて構成されている。但し、当該半田面２７１ｂ上には、電子部品は搭載されていない。なお、主制御基板２７１の構成は上記のものに限定されることはなく、半田面２７１ｂにも電子部品が搭載される構成であってもよい。すなわち、主制御基板２７１の両板面に電子部品が搭載される構成であってもよい。
【０１２４】
上記構成において、部品搭載面２７１ａにはその隅角側に、各種表示部２７７，２７８，２７９が形成されている。詳細には、当該主制御基板２７１の用途を表示する複数（具体的には、２個）の用途表示部２７７，２７８と、当該主制御基板２７１の製造地（又は製造国）を表示する製造地表示部（製造国表示部）とが形成されている。これら、各用途表示部２７７，２７８及び製造地表示部２７９は、主制御基板２７１における所定の一辺に沿って並設されている。すなわち、各用途表示部２７７，２７８及び製造地表示部２７９は、主制御基板２７１の部品搭載面２７１ａにおいて表示部集約領域に集約させて設けられている。
【０１２５】
用途表示部２７７，２７８は、カタカナで用途が表示された第１用途表示部２７７と、ローマ字で用途が表示された第２用途表示部２７８とからなる。具体的には、第１用途表示部２７７には、カタカナにより「パチンコ」と表示されており、第２用途表示部２７８には、ローマ字により「ＰＡＣＨＩＮＫＯ」と表示されている。第１用途表示部２７７が形成されていることにより日本語を理解できる者が当該主制御基板２７１の用途を明確に把握することができるとともに、第２用途表示部２７８が形成されていることにより日本語を理解できない者であっても当該主制御基板２７１の用途を把握することが可能となっている。なお、第１用途表示部２７７に表示される文字は、カタカナに限定されることはなく、平仮名や漢字であってもよい。また、第２用途表示部２７８に表示される文字は、ローマ字に限定されることはなく、簡体字、繁体字、又はハングル文字などであってもよい。さらには、ローマ字用や簡体字用に第２用途表示部２７８を複数備える構成であってもよい。
【０１２６】
製造地表示部２７９は、英単語により製造地が表示されている。具体的には、「ＭＡＤＥ  ＩＮ  ＪＡＰＡＮ」と表示されている。正規の主制御基板２７１は、日本国内で製造されるからである。製造地表示部２７９が形成されていることにより当該主制御基板２７１の製造地を明確に把握することができる。特に、製造地は英単語で表示されており、この表示された英単語は英語圏の国でなくてもその意味が比較的容易に理解されるものと考えられる。なお、製造地表示部２７９に表示される文字は、少なくとも日本国内において容易に理解されるものであればよく、平仮名、カタカナ、漢字、又はローマ字であってもよい。
【０１２７】
用途表示部２７７，２７８及び製造地表示部２７９は、その文字パターン（製造地表示部２７９については、文字パターン２７９ａ）が、回路パターンの配線Ｗと同様に銅等の金属によって形成されており、当該文字がソルダレジストＳＲにより覆われて構成されている。すなわち、用途表示部２７７，２７８及び製造地表示部２７９の形成は、主制御基板２７１の回路パターン等の形成工程において合わせて行われている。
【０１２８】
そこで、以下に主制御基板２７１の回路パターン等の形成工程について図１７を用いて説明する。図１７は、回路パターン等の形成工程を説明するための説明図である。
【０１２９】
当該形成工程においては、その準備工程として、図１７（ａ）に示すように、絶縁板ＩＢの両面全体に銅箔ＣＦ（回路形成用の金属箔）が貼付されて構成された両面銅貼積層板（金属箔貼付板）を用意する。また、当該準備工程では、さらに両面銅貼積層板に対して孔開け工程、及びスルーホールメッキ工程を行い、スルーホールＴＨを形成する。
【０１３０】
その後、フォトレジスト形成工程を両面銅貼積層板の両面に対して行うことで、図１７（ｂ）に示すように、両面銅貼積層板の両面にフォトレジストＦＲを積層する。その後、フォトレジストＦＲに対して所定の回路パターンマスクを用いて回路転写工程を行うことで、図１７（ｃ）に示すように、フォトレジストＦＲにエッチング用の開口Ｈ１を形成する。ちなみに、この回路パターンマスクには、回路パターンだけでなく、各用途表示部パターン及び製造地表示部パターンが設けられている。
【０１３１】
その後、銅箔ＣＦのエッチング工程を行うことにより、図１７（ｄ）に示すように、銅箔ＣＦに回路形成用の開口Ｈ２を形成する。当該開口Ｈ２において絶縁板ＩＢの板面が露出している。その後、フォトレジスト除去工程を行うことで、図１７（ｅ）に示すように、フォトレジストＦＲが除去されて銅箔ＣＦが露出した状態となる。これにより、配線Ｗの形成が完了し、回路パターンの形成が完了する。また、この回路パターンの形成が完了するのに合わせて、用途表示部２７７，２７８の文字パターン及び製造地表示部２７９の文字パターン２７９ａの形成が完了する。
【０１３２】
その後、ソルダレジスト形成工程を行うことにより、図１７（ｆ）に示すように、回路パターンがソルダレジストＳＲにより覆われ、回路パターン等の形成工程が完了する。また、これに合わせて、用途表示部２７７，２７８の文字パターン及び製造地表示部２７９の文字パターン２７９ａがソルダレジストＳＲにより覆われ、各用途表示部２７７，２７８及び製造地表示部２７９の形成が完了する。
【０１３３】
用途表示部２７７，２７８及び製造地表示部２７９が上記のように回路パターンと同様に形成されていることにより、用途表示部２７７，２７８の文字パターン及び製造地表示部２７９の文字パターン２７９ａは、ソルダレジストＳＲに覆われた構成であっても部品搭載面２７１ａにおいて確認可能となっている。
【０１３４】
すなわち、ソルダレジストＳＲは、用途表示部２７７，２７８及び製造地表示部２７９の文字の凹凸に追従しており当該凹凸が平坦化されていない。さらに、主制御基板２７１は絶縁板ＩＢに銅等の金属箔が離脱不能に貼付されて構成されており、部品搭載面２７１ａには凹凸部分に色のコントラストが生じる。したがって、部品搭載面２７１ａにおいて、用途表示部２７７，２７８の文字パターン及び製造地表示部２７９の文字パターン２７９ａは確認可能となっている。
【０１３５】
ちなみに、用途表示部２７７，２７８及び製造地表示部２７９が形成された部品搭載面２７１ａは、上記のとおりボックスカバー２９０側を向いている。また、ボックスカバー２９０は透明性を有しており、主制御基板２７１が基板ボックス２７３に収容された状態において用途表示部２７７，２７８及び製造地表示部２７９の文字が確認可能となっている。さらには、上記のとおり部品搭載面２７１ａは、遊技ホール等への設置状態にあるパチンコ機１０において外枠１１に対して本体枠１２を開きパチンコ機１０の背面部を手前側に開放することで、主制御装置２７０を取り外さなくても確認可能となっている。したがって、用途表示部２７７，２７８及び製造地表示部２７９の文字に関しても、上記のようにパチンコ機１０の背面部を手前側に開放することで、主制御装置２７０を取り外さなくても確認可能となっている。
【０１３６】
以上のように用途表示部２７７，２７８及び製造地表示部２７９が形成されていることにより、偽造基板を日本国外で製造し、それを日本国内に輸入しようとする行為を抑制することができる。つまり、正規の主制御基板２７１において用途表示部２７７，２７８及び製造地表示部２７９が形成されている場合、不正行為者にとってはその不正交換を容易に見破られないようにするために、偽造基板においても用途表示部２７７，２７８及び製造地表示部２７９を形成する必要が生じる。かかる事情において、日本国外で製造した偽造基板の製造地表示部２７９に日本製である旨が表示されていると、少なくともその偽造基板の日本国内への輸入に際して、税関にて製造地表示の誤認表示に該当するということで輸入停止措置がなされる。特に、用途表示部２７７，２７８が設けられておりその基板の用途が各種不正行為の対象となるものとして広く知られたパチンコ機１０である旨が表示されている状態において、製造地表示の誤認表示がなされている場合、輸入停止措置がなされる可能性は高くなる。さらには、製造地表示部２７９において製造地の表示が英単語によってなされており、また第２用途表示部２７８において用途の表示がローマ字によってなされていることにより、日本国内への輸入時だけでなく、日本へ向けた輸出時において輸出停止装置がなされることも期待できる。
【０１３７】
また、偽造基板の製造時においては製造地表示部２７９の表示を実際の製造地としておき、日本国内への輸入後に当該表示を製造地が日本である旨に変更する行為が想定される。これに対して、上記のとおり製造地表示部２７９の文字は回路パターンと同様に銅箔ＣＦをエッチングすることにより形成されているため、その内容を変更するには銅箔ＣＦの再形成、及び銅箔ＣＦのエッチング等を要し、当該行為は手間となり、さらには電子部品が実装された状態において行う必要があるため実質的に不可能である。
【０１３８】
また、仮に何らかの方法で内容変更が可能であったとしても、内容変更をする際にはソルダレジストＳＲを除去する必要がある。そして、ソルダレジストＳＲを除去するためには、部品搭載面２７１ａに搭載された各種電子部品を取り外す必要が生じる。これは相当な手間となり、日本国外で偽造基板を製造するメリット（例えば、コスト面）が消失することとなる。また、製造地表示部２７９におけるソルダレジストＳＲのみを除去することも想定されるが、かかる場合、文字内容の変更後に新たに形成されたソルダレジストＳＲと元々形成されていたソルダレジストＳＲとの間で差異（例えば、新たに形成されたソルダレジストＳＲと元々形成されていたソルダレジストＳＲとの境界部分）が生じるものと考えられ、その痕跡が残ることとなる。また、それを解消しようとすると、相当な手間となり、上記のとおり日本国外で偽造基板を製造するメリットが消失する。以上より、偽造基板を日本国外で製造し、それを日本国内に輸入しようとする行為を抑制することができる。
【０１３９】
次に、第２制御基板ユニット２０２の構成を図１８〜図２０に基づいて説明する。図１８は第２制御基板ユニット２０２の正面図、図１９は同ユニット２０２の斜視図、図２０は同ユニット２０２の分解斜視図である。
【０１４０】
第２制御基板ユニット２０２は横長形状をなす取付台３０１を有し、取付台３０１に払出制御装置３１１、発射制御装置３１２、及び電源装置３１３が搭載されている。払出制御装置３１１及び発射制御装置３１２は制御の中枢をなすＣＰＵや、その他ＲＯＭ、ＲＡＭ、各種ポート等を含む制御基板を具備している。払出制御装置３１１の払出制御基板により、賞品球や貸出球の払出が制御される。発射制御装置３１２の発射制御基板により、遊技者による遊技球発射ハンドル１８の操作に従い発射モータ２２９の制御が行われる。また、電源装置３１３の電源基板により、各種制御装置等で要する所定の電源電圧が生成され出力される。
【０１４１】
上記払出制御装置３１１、発射制御装置３１２、及び電源装置３１３は、透明樹脂材料等よりなる基板ボックス３１５，３１６，３１７にそれぞれ収容されて構成されている。特に、払出制御装置３１１では、主制御装置２７０と同様、被包手段を構成する基板ボックス３１５がボックスベースとボックスカバーとを備え、それらが封印手段としての封印ユニット３１９によって開封不能に連結され、これにより基板ボックス３１５が封印されている。払出制御装置３１１には状態復帰スイッチ３２１が設けられている。例えば、後述する払出モータの球詰まり等、払出エラーの発生時において状態復帰スイッチ３２１が押されると、払出モータが正逆回転され、球詰まりの解消（正常状態への復帰）が図られるようになっている。電源装置３１３にはＲＡＭ消去スイッチ３２３が設けられている。本パチンコ機１０は各種データのバックアップ機能を有しており、万一停電が発生した際でも停電時の状態を保持し、停電からの復帰（復電）の際には停電時の状態に復帰できるようになっている。従って、例えば遊技ホールの営業終了の場合のように通常手順で電源を遮断すると遮断前の状態が記憶保持されるが、ＲＡＭ消去スイッチ３２３を押しながら電源を投入すると、ＲＡＭデータが初期化されるようになっている。
【０１４２】
取付台３０１は例えば無色透明な樹脂成型品よりなり、その表面に平坦状をなす基板搭載面３０２が設けられている。基板搭載面３０２には、発射制御装置３１２、及び電源装置３１３が横並びとなった状態で搭載され、ネジ等で固定されている。電源装置３１３の基板ボックス３１７上には略平板状の台座プレート３０３が載置されるとともに台座プレート３０３上に払出制御装置３１１が搭載され、ネジ等で固定されている。
【０１４３】
取付台３０１には、パチンコ機１０後方からみて右端部に上下一対の掛止ピン３０５が設けられており、掛止ピン３０５を前記軸受け部２３７に上方から挿通させることで、第２制御基板ユニット２０２が本体枠１２に対して回動可能に片持ち支持される。取付台３０１の左端部には締結具として上下一対のナイラッチ３０６が設けられており、ナイラッチ３０６を前記被締結孔２３９にはめ込むことで、第２制御基板ユニット２０２が本体枠１２に固定される。なお、軸受け部２３７及び掛止ピン３０５が前記支軸部Ｍ４に、被締結孔２３９及びナイラッチ３０６が前記締結部Ｍ５に、それぞれ相当する。
【０１４４】
次に、裏パックユニット２０３の構成を図２１に基づいて説明する。図２１は裏パックユニット２０３の正面図である。
【０１４５】
裏パックユニット２０３は、裏パック３５１と遊技球の払出機構部３５２とが一体化されることにより構成されている。裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し、本実施の形態では、前述の音声ランプ制御装置２７２も併せて囲む構成となっている。
【０１４６】
裏パック３５１のベース部３５３には、保護カバー部３５４を迂回するようにして払出機構部３５２が配設されている。すなわち、裏パック３５１の最上部には上方に開口したタンク３５５が設けられており、タンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、タンクレール３５６の下流側には上下方向に延びるケースレール３５７が連結されている。払出装置３５８はケースレール３５７の最下流部に設けられ、払出制御装置３１１の制御により払出モータ３５８ａが駆動されて必要個数の遊技球の払出が適宜行われる。払出装置３５８より払い出された遊技球は図示しない払出通路等を通じて前記上皿２３等に供給される。
【０１４７】
タンクレール３５６には、当該タンクレール３５６に振動を付加するためのバイブレータ３６０が取り付けられている。従って、仮にタンクレール３５６付近で球詰まりが生じた際、バイブレータ３６０が駆動されることで球詰まりが解消されるようになっている。
【０１４８】
また、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４ボルトの主電源が供給され、電源スイッチ３８２ａの切替操作により電源ＯＮ又は電源ＯＦＦとされるようになっている。
【０１４９】
裏パック３５１には、パチンコ機１０後方からみて右端部に上下一対の掛止ピン３８５が設けられており、掛止ピン３８５を前記軸受け部２３８に上方から挿通させることで、裏パックユニット２０３が本体枠１２に対して回動可能に片持ち支持される。裏パック３５１には、左端部に締結具として上下一対のナイラッチ３８６が設けられると共に、上端部に係止孔３８７が設けられており、ナイラッチ３８６を前記被締結孔２４０にはめ込むと共に、係止孔３８７に前記固定具２４２を挿入した上で当該固定具２４２を回動操作することで、裏パックユニット２０３が本体枠１２に固定される。また、前記固定具２４１，２４３によっても裏パックユニット２０３が本体枠１２に固定される。なお、軸受け部２３８及び掛止ピン３８５が前記支軸部Ｍ６に、被締結孔２４０及びナイラッチ３８６が前記締結部Ｍ７に、固定具２４２及び係止孔３８７が前記係止部Ｍ８に、それぞれ相当する。また、固定具２４３が前記係止部Ｍ９に相当する。
【０１５０】
次に、本パチンコ機１０の電気的構成について、図２２のブロック図に基づいて説明する。
【０１５１】
主制御装置２７０（主制御基板２７１）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、時間計数や同期を図る場合などに使用されるクロックパルス発生回路やタイマ回路、割込回路、データ送受信回路などの各種回路が内蔵されている。
【０１５２】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのメモリやエリアの他に、バックアップエリア５０３ａが設けられている。
【０１５３】
バックアップエリア５０３ａは、停電などの発生により電源が遮断された場合において、電源遮断時（停電発生時を含む。以下同様）のスタックポインタや、各レジスタ、Ｉ／Ｏ等の値を記憶しておくためのエリアであり、電源投入時（停電解消による電源投入を含む。以下同様）には、バックアップエリア５０３ａの情報に基づいてパチンコ機１０の状態が電源遮断前の状態に復帰できるようになっている。バックアップエリア５０３ａへの書き込みはＮＭＩ割込み処理によって電源遮断時に実行され、バックアップエリア５０３ａに書き込まれた各値の復帰は電源投入時のメイン処理において実行される。なお、ＣＰＵ５０１のＮＭＩ端子（ノンマスカブル割込端子）には、停電等の発生による電源遮断時に、停電監視回路５４２からの停電信号ＳＧ１が入力されるように構成されており、停電の発生により停電時処理としてのＮＭＩ割込み処理が即座に実行される。
【０１５４】
主制御装置２７０のＣＰＵ５０１には、アドレスバス及びデータバスで構成されるバスライン５０４を介して入出力ポート５０５が接続されている。主制御装置２７０の入力側には、後述するＲＡＭ消去スイッチ回路５４３、払出制御装置３１１や、その他図示しないスイッチ群や中継基板などが接続されている。一方、主制御装置２７０の出力側には、払出制御装置３１１や表示制御装置２１４が接続されている。また、第１特定ランプ部４７に配設されたＬＥＤランプのスイッチや第２特定ランプ部４８に配設されたＬＥＤランプのスイッチも接続されている。
【０１５５】
主制御装置２７０のＣＰＵ５０１では、入賞口スイッチ２２１、カウントスイッチ２２３、及び作動口スイッチ２２４からの検出信号に基づいて一般入賞口３１、可変入賞装置３２、及び作動口３３における入球判定を行い、その判定の結果、いずれかにおいて遊技球が入球したと判定した場合に、払出装置３５８から遊技球を払い出すよう払出制御装置３１１に対して賞球コマンドを出力する。また、主制御装置２７０のＣＰＵ５０１では、作動口スイッチ２２４からの検出信号に基づいて作動口３３に遊技球が入球したと判定した場合に当否判定（当否抽選）を行い、その判定の結果が当選であった場合には遊技状態を通常遊技状態から特別遊技状態（大当たり状態）に移行させる。大当たり状態に移行することで、可変入賞装置３２の開閉制御が行われ、それに基づいて遊技者に対して多量の遊技球が払い出される。ちなみに、上記当否判定の結果は、表示制御装置２１４を介して図柄表示装置４１にて表示されるとともに、第１特定ランプ部４７においても表示される。
【０１５６】
払出制御装置３１１（払出制御基板）は、主制御装置２７０から入力する賞球コマンドに基づいて払出モータ３５８ａ（払出装置３５８）を動作させ賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１５７】
払出制御装置３１１のＲＡＭ５１３は、主制御装置２７０のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのメモリやエリアの他に、バックアップエリア５１３ａが設けられている。
【０１５８】
バックアップエリア５１３ａは、停電などの発生により電源が遮断された場合において、電源遮断時のスタックポインタや、各レジスタ、Ｉ／Ｏ等の値を記憶しておくためのエリアであり、電源投入時には、このバックアップエリア５１３ａの情報に基づいてパチンコ機１０の状態が電源遮断前の状態に復帰できるようになっている。バックアップエリア５１３ａへの書き込みはＮＭＩ割込み処理によって電源遮断時に実行され、バックアップエリア５１３ａに書き込まれた各値の復帰は電源投入時のメイン処理において実行される。なお、主制御装置２７０のＣＰＵ５０１と同様、ＣＰＵ５１１のＮＭＩ端子にも、停電等の発生による電源遮断時に停電監視回路５４２から停電信号ＳＧ１が入力されるように構成されており、停電の発生により、ＮＭＩ割込み処理が即座に実行されるようになっている。
【０１５９】
払出制御装置３１１のＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２７０、発射制御装置３１２、払出モータ３５８ａなどがそれぞれ接続されている。
【０１６０】
発射制御装置３１２は、発射モータ２２９による遊技球の発射を許可又は禁止するものであり、発射モータ２２９は、所定条件が整っている場合に駆動が許可される。具体的には、払出制御装置３１１から発射許可信号が出力されていること、遊技者が遊技球発射ハンドル１８に触れていることをセンサ信号により検出していること、発射を停止させるための発射停止スイッチが操作されていないことを条件に、発射モータ２２９が駆動され、遊技球発射ハンドル１８の操作量に応じた強さで遊技球が発射される。
【０１６１】
表示制御装置２１４は、図柄表示装置４１における第１図柄（特別図柄）の変動表示を制御するものである。表示制御装置２１４は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力側には主制御装置２７０の出力側が接続され、入力ポート５２７の出力側には、ＣＰＵ５２１、ＲＯＭ５２２、ワークＲＡＭ５２３、画像コントローラ５２６が接続されると共にバスライン５３０を介して出力ポート５２８が接続されている。出力ポート５２８の出力側には音声ランプ制御装置２７２が接続されている。また、画像コントローラ５２６にはバスライン５３１を介して出力ポート５２９が接続されており、その出力ポート５２９の出力側には図柄表示装置４１が接続されている。
【０１６２】
表示制御装置２１４のＣＰＵ５２１は、主制御装置２７０から送信される図柄表示コマンドに基づいて図柄表示装置４１の表示を制御する。ＲＯＭ５２２は、ＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１６３】
ビデオＲＡＭ５２４は、図柄表示装置４１に表示される表示データを記憶するためのメモリであり、ビデオＲＡＭ５２４の内容を書き替えることにより、図柄表示装置４１の表示内容が変更される。キャラクタＲＯＭ５２５は、図柄表示装置４１に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して図柄表示装置４１に表示させるものである。
【０１６４】
電源装置３１３は、パチンコ機１０の各部に電源を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２７０や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２７０や払出制御装置３１１等に対して供給する。なお、発射制御装置３１２に対しては払出制御装置３１１を介して動作電源（＋１２Ｖ電源、＋５Ｖ電源等）が供給される。
【０１６５】
停電監視回路５４２は、停電等の発生による電源遮断時に、主制御装置２７０のＣＰＵ５０１及び払出制御装置３１１のＣＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２７０及び払出制御装置３１１へ出力する。停電信号ＳＧ１の出力によって、主制御装置２７０及び払出制御装置３１１は、停電の発生を認識し、ＮＭＩ割込み処理を実行する。なお、電源部５４１は、直流安定２４ボルトの電圧が２２ボルト未満になった後においても、ＮＭＩ割込み処理の実行に充分な時間の間、制御系の駆動電圧である５ボルトの出力を正常値に維持するように構成されている。よって、主制御装置２７０及び払出制御装置３１１は、ＮＭＩ割込み処理を正常に実行し完了することができる。
【０１６６】
ＲＡＭ消去スイッチ回路５４３は、ＲＡＭ消去スイッチ３２３のスイッチ信号を取り込み、そのスイッチ３２３の状態に応じて主制御装置２７０及び払出制御装置３１１のバックアップデータをクリアするためのＲＡＭ消去信号ＳＧ２を出力する回路である。ＲＡＭ消去スイッチ３２３が押された際、ＲＡＭ消去スイッチ回路５４３は、主制御装置２７０及び払出制御装置３１１に対してＲＡＭ消去信号ＳＧ２を出力する。これにより、ＲＡＭ消去スイッチ３２３が押された状態でパチンコ機１０の電源が投入されると、主制御装置２７０及び払出制御装置３１１においてそれぞれのバックアップエリア５０３ａ，５１３ａのデータがクリアされる。
【０１６７】
以上詳述した第１の実施の形態によれば、以下の優れた効果を奏する。
【０１６８】
主制御基板２７１に製造地表示部２７９を形成した。このように正規の主制御基板２７１に製造地表示部２７９が設けられた構成においては、不正行為者にとってはその不正交換を容易に見破られないようにするために、偽造基板においても製造地表示部を形成する必要が生じる。かかる事情において、日本国外で製造した偽造基板の製造地表示部に日本国内である旨の製造地が表示されていると、少なくともその偽造基板の日本国内への輸入に際して、税関にて製造地表示の誤認表示に該当するということで輸入停止措置の対象となる。
【０１６９】
また、偽造基板の製造時においては製造地表示部２７９の表示内容を当該偽造基板の実際の製造地としておき、日本国内への輸入後に当該表示内容を製造地が日本国内である旨に変更する行為が想定される。これに対して、製造地表示部２７９における製造地の表示を行う文字パターン２７９ａを、主制御基板２７１の絶縁板ＩＢに積層された銅箔ＣＦをエッチングすることにより形成した。これにより、文字パターン２７９ａの表示内容を変更するためには、文字パターン２７９ａの除去、絶縁板ＩＢへの銅箔ＣＦの再積層、及び再積層した銅箔ＣＦのエッチング等を要する。そして、主制御基板２７１の部品搭載面２７１ａに各種電子部品が搭載された後にかかる作業を行うのは困難である。また、上記表示内容の変更作業が可能であったとしても、その変更作業が手間となり当該行為を抑制することができる。特に、製造コストの安い国で多量に製造した偽造基板を日本国内に輸入する不正行為者にとっては、日本国内に輸入した後に表示内容の変更に際して大変な労力を要すると、日本国外で偽造基板を製造するメリットが消失することとなる。よって、上記表示内容を変更する行為を抑制することができる。
【０１７０】
主制御基板２７１の回路パターンを絶縁板ＩＢに積層された銅箔ＣＦをエッチングすることにより形成するようにした構成において、上記のとおり製造地表示部２７９における製造地の表示を行う文字パターン２７９ａも銅箔ＣＦをエッチングすることにより形成した。つまり、主制御基板２７１の製造時において回路パターンを形成するのに合わせて文字パターン２７９ａを形成することができる。これにより、正規の主制御基板２７１に製造地表示部２７９を設ける構成としたとしても、従来の主制御基板に比して製造工程が大きく増加することはなく、また製造コストが大きく増大することもない。そして、これに伴って遊技機の製造コストが大きく増大することもない。よって、遊技機の製造コストの増大化を抑制しつつ、日本国外で製造した偽造基板を用いた主制御基板２７１の不正交換を抑制することができる。
【０１７１】
文字パターン２７９ａをソルダレジストＳＲにより被覆することで、製造地表示部２７９を形成した。これにより、文字パターン２７９ａの表示内容を変更するためにはソルダレジストＳＲを除去する必要が生じる。よって、表示内容の変更作業が手間となる。特に、製造地表示部２７９は主制御基板２７１の部品搭載面２７１ａに形成されている。この場合に、ソルダレジストＳＲを除去するためには、部品搭載面２７１ａに搭載された各種電子部品を取り外す必要が生じる。これは相当な手間となる。また、製造地表示部２７９周辺のソルダレジストＳＲのみを除去することも想定されるが、かかる場合、表示内容の変更後に新たに作成されたソルダレジストＳＲと元々作成されていたソルダレジストＳＲとの間で差異が生じるものと考えられ、その痕跡が残ることとなる。また、それを解消しようとすると、相当な手間となる。よって、上記表示内容を変更する行為を好適に抑制することができる。また、本構成によれば、主制御基板２７１の回路パターンを保護するソルダレジストＳＲが製造地表示部２７９の被覆部として兼用されるため、構成の簡素化を図りつつ上記効果を奏することができる。
【０１７２】
上記のとおり製造地表示部２７９を主制御基板２７１の部品搭載面２７１ａに形成するようにした。これにより、遊技ホールなどにおける主制御基板２７１の点検作業において部品搭載面２７１ａに搭載された電子部品の点検に合わせて製造地表示部２７９の確認を行うことで、偽造基板への不正交換が行われたか否かを確認することができる。
【０１７３】
主制御基板２７１には、当該主制御基板２７１の用途がパチンコ機である旨を表示する用途表示部２７７，２７８を形成した。これにより、主制御基板２７１の用途が各種不正行為の対象となるものとして広く知られたパチンコ機である旨が表示されることとなる。かかる状態において、製造地表示部２７９の誤認表示がなされている場合、輸入停止措置がなされる可能性が高くなると考えられる。また、用途表示部２７７，２７８を製造地表示部２７９に対して並設させた。これにより、製造地表示部２７９に表示された製造地と用途表示部２７８，２７９に表示された用途とをまとめて視認することができる。よって、上記効果をより顕著なものとすることが可能となる。
【０１７４】
製造地表示部２７９を主制御装置２７０の設置状態で確認できるようにした。これにより、例えば、製造地表示部２７９に正規ではない製造地が表示された偽造基板の不正交換が行われていたとしても、それを容易に発見することが可能となる。
【０１７５】
（第２の実施の形態）
本実施の形態では、主制御装置２７０の構成が上記第１の実施の形態と異なっている。そこで、以下にかかる構成について図２３〜図２５を用いて詳細に説明する。図２３は主制御装置２７０の正面図、図２４は主制御装置２７０の分解斜視図、図２５（ａ）は図２３のＡ―Ａ線断面図、図２５（ｂ）は図２３のＢ―Ｂ線断面図である。なお、図２３〜図２５において上記第１の実施の形態と同様の構成については同一の番号を付すとともに、基本的にその説明を省略する。
【０１７６】
主制御装置２７０は、図２４に示すように、上記第１の実施の形態と同様に、ボックスベース２８０とボックスカバー２９０とからなる基板ボックス２７３を備えており、当該基板ボックス２７３の内部空間に主制御基板５５１が収容されている。主制御基板５５１は、ボックスカバー２９０にネジ止めされている。この場合に、主制御基板５５１におけるＣＰＵチップ５５２などが搭載された部品搭載面５５１ａはボックスカバー２９０側を向いている。
【０１７７】
主制御基板５５１の部品搭載面５５１ａには、上記第１の実施の形態と同様に、用途表示部５５５，５５６及び製造地表示部５５７が設けられている。これらの具体的な構造、表示内容、及び形成方法は上記第１の実施の形態における用途表示部２７７，２７８及び製造地表示部２７９と同一であるため、説明を省略する。但し、部品搭載面５５１ａにおける、これら用途表示部５５５，５５６及び製造地表示部５５７が設けられた位置は上記第１の実施の形態と異なっている。具体的には、各種表示部２７７〜２７９は、部品搭載面５５１ａにおけるボックスカバー２９０との当接領域に設けられている。そこで、かかる当接領域について詳細に説明する。
【０１７８】
ボックスカバー２９０は、図２５に示すように、主制御装置２７０の厚み方向に段差状となっており、主制御基板５５１の部品搭載面５５１ａ上に搭載されたＣＰＵチップ５５２等の電子部品を収容するための収容部５６１を有するとともに、主制御基板５５１と重なるようにして平板状に延びる重なり部５６２を有する。収容部５６１は、主制御基板５５１との間の間隔が、部品搭載面５５１ａに搭載された電子部品のうち最も背が高いものの高さ寸法よりも大きくなるように形成されており、重なり部５６２との連結部分を構成する段差部５６３によってその周壁が構成されている。
【０１７９】
重なり部５６２は、収容部５６１を囲むように、ボックスカバー２９０においてその周縁側に形成されている。当該重なり部５６２のうち、ボックスカバー２９０の上縁側に形成された上縁側重なり部５６２ａは、横長であって所定の幅を有する帯状に形成されている。ちなみに、上縁側重なり部５６２ａの長手方向は、主制御装置２７０の長手方向となっている。
【０１８０】
上縁側重なり部５６２ａには、その長手方向に沿って複数の開口部５６４が形成されており、これら開口部５６４は主制御基板５５１の部品搭載面５５１ａに搭載された各受けコネクタ５６５に対して１対１で対応している。ボックスカバー２９０に対して主制御基板５５１をネジ止めしている状態では、図２５（ａ）に示すように、これら開口部５６４を通じて各受けコネクタ５６５が基板ボックス２７３外部に露出し、ハーネスＨとの接続が可能となっている。なお、重なり部５６２のうち、ボックスカバー２９０の下縁側に形成された下縁側重なり部５６２ｂは、上縁側重なり部５６２ａと同様に帯状に形成されており、さらには各受けコネクタ５６５を露出させるための各開口部５６４が形成されている。
【０１８１】
上記の重なり部５６２に対して主制御基板５５１の部品搭載面５５１ａが当接しており、この重なり部５６２に当接している領域が当接領域に該当する。この当接領域は、重なり部５６２と対応して、部品搭載面５５１ａの周縁側に位置している。当該当接領域のうち、上縁側重なり部５６２ａに当接する上縁側当接領域Ｓは、図２４において一点鎖線で区画して示すように、横長であって所定の幅（受けコネクタ５６５を搭載可能な幅寸法）を有する帯状となっている。ちなみに、上縁側当接領域Ｓは、部品搭載面５５１ａの縁を一端として部品搭載面５５１ａ内側に入り込んでおり、さらに上縁側当接領域Ｓの長手方向は主制御装置２７０の長手方向となっている。
【０１８２】
上縁側当接領域Ｓには、図２４に示すように、上述した受けコネクタ５６５が複数搭載されている。すなわち、上縁側当接領域Ｓは、コネクタ集約領域を含んでいる。これら受けコネクタ５６５は、所定の間隔を置いて、上縁側当接領域Ｓの長手方向に沿って配置されている。このように上縁側当接領域Ｓに受けコネクタ５６５を配置することにより、基板ボックス２７３の外部からボックスカバー２９０の開口部５６４を通じて部品搭載面５５１ａにリード線などといった不正用冶具を接続しようとする不正行為を抑制することができる。すなわち、開口部５６４から不正用冶具を基板ボックス２７３内部に挿入しようとしても、図２５（ａ）に示すように、上縁側当接領域Ｓにおいては主制御基板５５１の部品搭載面５５１ａとボックスカバー２９０の上縁側重なり部５６２ａとが当接しているため、その挿入が阻止される。なお、開口部５６４の周壁を、受けコネクタ５６５の周面に沿って外方（図２５（ａ）の状態で見て上方）に起立させて起立壁を設ける構成としてもよい。
【０１８３】
上記構成において、各種表示部５５５〜５５７は、図２３等に示すように、上縁側当接領域Ｓに設けられている。詳細には、各種表示部５５５〜５５７は、上縁側当接領域Ｓの幅方向（短手方向）に、上から第１用途表示部５５５、第２用途表示部５５６、製造地表示部５５７の順に並設されている。かかる構成から、表示部集約領域が上縁側当接領域Ｓに設けられていると言える。
【０１８４】
当該表示部集約領域は、複数の受けコネクタ５６５におけるコネクタ間にあるのではなく、複数の受けコネクタ５６５が設けられた領域に対して外側にある。これにより、各種表示部５５５〜５５７の視認性が受けコネクタ５６５によって阻害されてしまうことが抑制されている。ちなみに、上縁側当接領域Ｓに設けられた受けコネクタ５６５のうち、少なくとも表示部集約領域に最も近い位置にある受けコネクタ５６５は、主制御基板５５１や各種電子部品とは異なる色に着色されている。これにより、税関等においては、その受けコネクタ５６５に自ずと視線が向くことが期待され、それに伴って表示部集約領域に自ずと視線が向くことが期待される。
【０１８５】
上縁側当接領域Ｓに各種表示部５５５〜５５７が設けられていることにより、図２５（ｂ）に示すように、各種表示部５５５〜５５７はボックスカバー２９０の上縁側重なり部５６２ａと当接している。これにより、主制御基板５５１が基板ボックス２７３に収容された状態であっても、各種表示部５５５〜５５７の表示内容を極力近い位置で確認することができる。また、各種表示部５５５〜５５７は、受けコネクタ５６５に対して離間された位置にあり、開口部５６４と重なっていない。したがって、各種表示部５５５〜５５７は上縁側重なり部５６２ａによって全体が覆われており、基板ボックス２７３外に露出していない。
【０１８６】
以上詳述した第２の実施の形態によれば、上記第１の実施の形態における効果に加え、以下の優れた効果を奏する。
【０１８７】
主制御基板５５１の部品搭載面５５１ａにおいてボックスカバー２９０の上縁側重なり部５６２ａと当接する上縁側当接領域Ｓに製造地表示部５５７を形成した。これにより、製造地表示部５５７の表示内容を基板ボックス２７３を通して確認する場合において、当該表示内容を極力近い位置で確認することができる。よって、例えば国外で製造された偽造基板が同じく偽造された基板ボックスに収容されて日本国内に輸入された場合に、税関等において製造地表示部の視認性が低下してしまい製造地表示の誤認表示が見落とされてしまうといった不都合の発生を抑制することができる。
【０１８８】
また、上記のように製造地表示部５５７の表示内容を基板ボックス２７３を通して確認する場合においてその視認性の向上が図られていることにより、遊技ホールなどにおける主制御基板５５１の点検作業において製造地表示部５５７の表示内容を容易に確認することができる。よって、製造地表示部５５７の表示内容が異なる偽造基板への不正交換や、製造地表示部５５７の表示内容の変更が行われた痕跡がある偽造基板への不正交換が行われたか否かの確認作業の作業性が向上する。なお、上記製造地表示部５５７に関する効果は、用途表示部５５５，５５６に関しても同様に奏する。
【０１８９】
また、上縁側重なり部５６２ａを、ボックスカバー２９０において収容部５６１の周縁に対して設けた。これにより、上縁側から製造地表示部５５７を視認することで、かかる視認性が収容部５６１によって阻害されることはない。よって、製造地表示部５５７の表示内容の視認性を向上させることができる。さらに、部品搭載面５５１ａにおける電子部品の搭載位置に制約を生じさせることなく上記効果を奏することができる。つまり、収容部５６１に囲まれるようにして重なり部５６２を設ける構成においては、その重なり部５６２を形成した位置に背の高い電子部品などを搭載することができなくなるからである。
【０１９０】
また、上縁側当接領域Ｓに受けコネクタ５６５を設けるとともに、上縁側重なり部５６２ａに当該受けコネクタ５６５を基板ボックス２７３外に露出させる開口部５６４を形成した。このように、受けコネクタ５６５及び開口部５６４の位置を設定することにより、受けコネクタ５６５を露出させるための開口部５６４を通じてリード線などの不正用治具を基板ボックス２７３内に挿入しようとしても、それが上縁側重なり部５６２ａと主制御基板５５１とによって阻止される。つまり、本構成によれば、上縁側重なり部５６２ａが設けられていることにより、開口部５６４を通じた不正行為の抑制と製造地表示部５５７の表示内容の視認性の向上との両立が図られる。
【０１９１】
（他の実施の形態）
なお、上述した実施の形態の記載内容に限定されず、例えば次のように実施してもよい。
【０１９２】
（１）上記第１の実施の形態では、製造地表示部２７９の文字パターン２７９ａを絶縁板ＩＢに積層された銅箔ＣＦをエッチングすることにより形成したが、文字パターン２７９ａの表示内容の変更が抑制できるのであれば、かかる構成を変更してもよい。例えば、絶縁板ＩＢに対して金属や樹脂などのペーストを印刷することで文字パターン２７９ａを形成する構成としてもよい。また、絶縁板ＩＢの板面に凹凸を設けて文字パターン２７９ａを形成する構成としてもよい。さらには、ソルダレジストＳＲ上に文字パターン２７９ａを印刷する構成としてもよい。但し、かかる構成においては、文字パターン２７９ａを形成する材料はソルダレジストＳＲと同じ溶解性を示す材料であることが好ましい。文字パターン２７９ａの除去に際してソルダレジストＳＲの除去をも生じさせることにより、不正行為者に対して文字パターン２７９ａの表示内容の変更に際してソルダレジストＳＲの再形成を強いることができるからである。
【０１９３】
なお、当該構成を上記第２の実施の形態における製造地表示部５５７や用途表示部５５５，５５６に対して適用してもよい。
【０１９４】
（２）上記第１の実施の形態では、製造地表示部２７９の文字パターン２７９ａをソルダレジストＳＲにより覆う構成としたが、これを変更してもよい。例えば、ソルダレジストＳＲとは別の被覆部により文字パターン２７９ａを覆う構成としてもよい。また、文字パターン２７９ａを覆わない構成としてもよい。かかる構成であっても、文字パターン２７９ａの表示内容を変更するためには、文字パターン２７９ａの除去、銅箔ＣＦの再形成、及び銅箔ＣＦのエッチング等を要するため、文字パターン２７９ａの表示内容を変更しようとする行為を抑制することができる。
【０１９５】
なお、当該構成を上記第２の実施の形態における製造地表示部５５７や用途表示部５５５，５５６に対して適用してもよい。
【０１９６】
（３）上記第１の実施の形態において、製造地表示部２７９を形成する位置は、部品搭載面２７１ａに限定されることはなく、製造地表示部２７９の表示内容を確認することができるのであれば任意である。
【０１９７】
（４）上記第１の実施の形態では、製造地表示部２７９を一箇所のみに設けたが、当該製造地表示部２７９を主制御基板２７１の複数箇所に設ける構成としてもよい。これにより、偽造基板の製造時においては製造地表示部２７９の表示内容を当該偽造基板の実際の製造地としておき日本国内への輸入後に当該表示内容を製造地が日本国内である旨に変更しようとする行為者にとっては、それら全ての製造地表示部２７９の表示内容を変更する必要が生じ、かかる行為を抑制することができる。特に、複数の製造地表示部２７９を、主制御基板２７１の板面上で見て電子部品を間に挟むようにして配置することにより、それら製造地表示部２７９の表示内容の変更を一括して行うことが困難となり、上記表示内容を変更しようとする行為を抑制することができる。上記構成の技術的思想は、「製造地表示部を制御基板に複数設ける」、「複数の製造地表示部を、制御基板に搭載された少なくとも１個の電子部品を挟むように、制御基板の板面上において離間させて設けた」といったものが挙げられる。
【０１９８】
なお、当該構成を上記第２の実施の形態における製造地表示部５５７に対して適用してもよい。
【０１９９】
（５）上記第１の実施の形態では、主制御基板２７１に用途表示部２７７，２７８を設けたが、これら用途表示部２７７，２７８がなくてもよい。また、用途表示部２７７，２７８を複数設けるのではなく、１個のみ設ける構成としてもよい。
【０２００】
なお、当該構成を上記第２の実施の形態における用途表示部５５５，５５６に対して適用してもよい。
【０２０１】
（６）用途表示部２７７，２７８，５５５，５５６に表示する内容は上記各実施の形態におけるものに限定されることはなく、例えば、「遊技機」又はそのローマ字表記などであってもよい。また、いわゆるスロットマシンに対して本発明を適用する場合には、用途表示部２７７，２７８，５５５，５５６に表示する内容は、「スロット」、「スロットマシン」、「スロットマシーン」、「パチスロ」、又はそのローマ字表記などであってもよい。
【０２０２】
（７）払出制御装置３１１の払出制御基板への不正対策、表示制御装置２１４の表示制御基板への不正対策、又は音声ランプ制御装置２７２の音声ランプ制御基板への不正対策として、上記各実施の形態における製造地表示部２７９，５５７の構成及びそれに関連した構成を適用してもよい。
【０２０３】
（８）上記各実施の形態では、主制御装置２７０を製造地表示部２７９，５５７の表示された部品搭載面２７１ａ，５５１ａがパチンコ機１０後方を向くように配設したが、当該主制御装置２７０を部品搭載面２７１ａ，５５１ａがパチンコ機１０側方を向くように配設してもよい。また、主制御装置２７０を部品搭載面２７１ａ，５５１ａがパチンコ機１０前方を向くように配設してもよい。
【０２０４】
（９）主制御基板２７１，５５１に製造地表示部２７９，５５７や用途表示部２７７，２７８，５５５，５５６だけでなく、主制御基板２７１，５５１の製造メーカを表示する基板製造メーカ表示部や、パチンコ機１０の製造メーカを表示するパチンコ機製造メーカ表示部（遊技機製造メーカ表示部）や、パチンコ機１０の販売メーカを表示する販売メーカ表示部を設けてもよい。
【０２０５】
（１０）停電監視回路５４２としての機能がさらに付加された主制御基板２７１，５５１に対して、製造地表示部２７９，５５７の構成及びそれに関連した構成を適用してもよい。
【０２０６】
（１１）上記第２の実施の形態では、用途表示部５５５，５５６及び製造地表示部５５７を、主制御基板５５１の部品搭載面５５１ａにおけるボックスカバー２９０の上縁側重なり部５６２ａと当接する上縁側当接領域Ｓに設けたが、これを変更してもよい。例えば、ボックスカバー２９０が収容部５６１よりも部品搭載面５５１ａに近い位置であって当該部品搭載面５５１ａから離間された位置にて当該部品搭載面５５１ａに沿って平板状に延びる対峙部を備えた構成においては、当該対峙部と対峙する部品搭載面５５１ａの領域に製造地表示部５５７等を設けてもよい。かかる構成とすることにより、収容部５６１に収容された領域に製造地表示部５５７等を設ける構成に比べ、製造地表示部５５７の表示内容の視認性を向上させることができる。
【０２０７】
また、上記対峙部を製造地表示部５５７に近接させる構成としてもよい。但し、この近接させる構成においては、その近接させる距離をリード線などの不正用冶具の挿入を阻止する程度とする必要がある。ちなみに、ボックスカバー２９０に主制御基板５５１を取り付けるのではなくボックスベース２８０に主制御基板５５１を取り付けた構成においては、主制御基板５５１の部品搭載面５５１ａをボックスカバー２９０の重なり部５６２に当接させるのは困難であるため、本構成のように近接させる構成とすることが好ましい。
【０２０８】
（１２）上記第２の実施の形態では、主制御基板５５１の部品搭載面５５１ａにおける上縁側に当接領域Ｓを設け、当該上縁側当接領域Ｓに製造地表示部５５７等を設けたが、これを変更してもよい。例えば、下縁側の当接領域に製造地表示部５５７等を設ける構成としてもよい。また、左右の横縁側に当接領域を設け、当該当接領域に製造地表示部５５７等を設ける構成としてもよい。
【０２０９】
また、ボックスカバー２９０において収容部５６１の周縁ではなく内側の領域に、当該収容部５６１よりも部品搭載面５６１ａに近い位置にて部品搭載面５５１ａに沿って平板状に延びる対峙部を設け、当該対峙部と対峙する部品搭載面５５１ａの領域に製造地表示部５５７等を設けてもよい。
【０２１０】
（１３）上記第２の実施の形態では、所定の幅寸法（受けコネクタ５６５を設置可能な幅寸法）を有する帯状の当接領域を主制御基板５５１の部品搭載面５５１ａにおける複数箇所に設けたが、当該帯状の当接領域を部品搭載面５５１ａにおける一箇所にのみ設ける構成としてもよい。そして、この一箇所にのみ設けられた当接領域に製造地表示部５５７等を設ける。この場合、上記第２の実施の形態に比して、基板ボックス２７３の外観上、製造地表示部５５７が設けられた位置が目立つこととなる。
【０２１１】
（１４）上記第２の実施の形態において、製造地表示部５５７を上縁側当接領域Ｓ（対峙部との対峙領域）に設け、用途表示部５５５，５５６を収容部５６１に収容された領域に設ける構成としてもよい。かかる構成においては、製造地表示部５５７における文字パターンのサイズを上記第２の実施の形態よりも大きくすることができ、その視認性のさらなる向上を図ることができる。
【０２１２】
（１５）上記第２の実施の形態では、コネクタ集約領域が含まれる上縁側当接領域Ｓに対して製造地表示部５５７等を設けたが、これに代えて、コネクタ集約領域が含まれていない、すなわち、表示部専用の当接領域（表示部専用の対峙領域）に製造地表示部５５７等を設ける構成としてもよい。
【０２１３】
（１６）上記第２の実施の形態では、用途表示部５５５，５５６及び製造地表示部５５７を上縁側当接領域Ｓの幅方向（短手方向）に並設したが、これに代えて、上縁側当接領域Ｓの長手方向に並設してもよい。また、上縁側当接領域Ｓにおいて長手方向に並ぶ受けコネクタ５６５間に製造地表示部５５７等を設けてもよい。
【０２１４】
（１７）上記各実施の形態では、用途表示部２７７，２７８，５５５，５５６及び製造地表示部２７９，５５７において、各文字パターンの回りに個別の縁部を有する構成としたが、これに代えて、各表示部に共通の縁部を有する構成としてもよい。
【０２１５】
（１８）上記各実施の形態では、第１図柄の変動表示を行う図柄表示装置４１と別に第１特定ランプ部４７を設ける構成としたが、第１特定ランプ部４７を設けずともよい。
【０２１６】
（１９）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも適用できる。
【０２１７】
また、弾球式でない遊技機、例えば、複数種の図柄が周方向に付された複数のリールを備え、メダルの投入及びスタートレバーの操作によりリールの回転を開始して表示窓から視認できる領域にて図柄の可変表示を行い、ストップスイッチが操作されるか所定時間が経過することでリールが停止し図柄の可変表示が終了するスロットマシンにも適用できる。当該スロットマシンの主制御基板では、所定枚数のメダルが投入され、且つスタートレバーが操作されることに基づいて抽選役の当否判定（抽選処理）を行う。そして、その判定において当選となった当選役に対応した特定図柄又は特定図柄の組合せが有効ライン上に成立した場合に、メダルの払い出し等といった特典が遊技者に付与される。
【０２１８】
また、取込装置を備え、貯留部に貯留されている所定数の遊技球が取込装置により取り込まれた後にスタートレバーが操作されることによりリールの回転を開始する、パチンコ機とスロットマシンとが融合された遊技機にも適用できる。
【符号の説明】
【０２１９】
１０…遊技機としてのパチンコ機、２７１…主制御基板、２７１ａ…部品搭載面、２７３…基板ボックス、２７７，２７８…用途表示部、２７９…製造地表示部、２７９ａ…文字パターン、５５１…主制御基板、５５１ａ…部品搭載面、５５５，５５６…用途表示部、５５７…製造地表示部、５６１…収容部、５６２ａ…対峙部としての上縁側重なり部、５６４…開口部、５６５…受けコネクタ、ＣＦ…金属層としての銅箔、ＩＢ…ベース板としての絶縁板、Ｓ…上縁側当接領域、ＳＲ…被覆部としてのソルダレジスト、Ｗ…配線。
【図１】
0005630539.tif 000002
【図２】
0005630539.tif 000003
【図３】
0005630539.tif 000004
【図４】
0005630539.tif 000005
【図５】
0005630539.tif 000006
【図６】
0005630539.tif 000007
【図７】
0005630539.tif 000008
【図８】
0005630539.tif 000009
【図９】
0005630539.tif 000010
【図１０】
0005630539.tif 000011
【図１１】
0005630539.tif 000012
【図１２】
0005630539.tif 000013
【図１３】
0005630539.tif 000014
【図１４】
0005630539.tif 000015
【図１５】
0005630539.tif 000016
【図１６】
0005630539.tif 000017
【図１７】
0005630539.tif 000018
【図１８】
0005630539.tif 000019
【図１９】
0005630539.tif 000020
【図２０】
0005630539.tif 000021
【図２１】
0005630539.tif 000022
【図２２】
0005630539.tif 000023
【図２３】
0005630539.tif 000024
【図２４】
0005630539.tif 000025
【図２５】
0005630539.tif 000026